(57)【要約】  流路部材の内部に熱媒体を流通させ、熱媒体との熱交換によって流路部材の外部の加熱または冷却を行う熱交換器において、熱交換部である流路部材表面の温度の立ち上がりがより速く、熱交換効率にすぐれたものを提供する。  熱交換器Ｈは、流路部材１の内部に熱媒体を流通させ、熱媒体との熱交換によって流路部材１の外部の加熱または冷却を行う熱交換器であり、管状の流路部材１を有し、その内部には角柱形状の中芯部材２が収容されている。中芯部材２の表面２４と流路部材１の内面１４によって、熱媒体を流路部材１の内面１４の全面に接するように流通させることができる流路１５が形成されている。
2009130764.tif 000002
【特許請求の範囲】
【請求項１】
流路部材(1)の内部に熱媒体を流通させ、熱媒体との熱交換によって流路部材(1)の外部の加熱または冷却を行う熱交換器であって、
流路部材(1)の内部に中芯部材(2)が収容されており、該中芯部材(2)の表面(24)と前記流路部材(1)の内面(14)によって、熱媒体を流通させる流路(15)が形成されている、
熱交換器。
【請求項２】
中芯部材(2)は多角柱形状を有しており、該中芯部材(2)の各角部(20)が流路部材(1)の内面(14)に当接することによって該流路部材(1)内部に周方向へ複数の流路(15)が形成されている、
請求項１記載の熱交換器。
【請求項３】
中芯部材(2)は多角柱形状を有しており、該中芯部材(2)の各角部(20)が流路部材(1)の内面(14)に当接することによって該流路部材(1)内部に周方向へ複数の流路(15)が形成されており、
前記流路部材(1)の端部には、流通経路から流入する熱媒体を分配して各流路(15)に送る手段または各流路(15)を通った熱媒体を合流させて流通経路へ送る手段(3,35,36,37)が設けられている、
請求項１記載の熱交換器。
【請求項４】
中芯部材(2)は断熱性を有する、
請求項１記載の熱交換器。
【請求項５】
中芯部材(2)は蓄熱性を有する、
請求項１記載の熱交換器。
【請求項６】
流路(15)内を流通する熱媒体を乱流状態にする手段(23)が設けられている、
請求項１記載の熱交換器。
【請求項７】
流路部材(1)の外面に、熱伝導性、放熱性または吸熱性を有する被覆層(10)が設けられている、
請求項１記載の熱交換器。
【請求項８】
流路部材(1)の外面に、親水性、吸湿性または放湿性を有する被覆層(10)が設けられている、
請求項１記載の熱交換器。
【請求項９】
流路部材(1)の外面に、吸着分解性及び抗菌性を有する被覆層(10)が設けられている、
請求項１記載の熱交換器。
【請求項１０】
流路部材(1)の外面に、マイナスイオンを発生する被覆層(10)が設けられている、
請求項１記載の熱交換器。
【請求項１１】
請求項１ないし１０のいずれかに記載の熱交換器を単種類で、または複数種類を複合して鉛直方向または水平方向あるいはそれ以外の方向に並設し、前記熱交換器に熱媒体を循環させるようにした、
空気調和装置。
【発明の詳細な説明】
【技術分野】
【０００１】
本発明は熱交換器及びそれを使用した空気調和装置に関する。更に詳しくは、流路部材の内部に熱媒体を流通させ、熱媒体との熱交換によって流路部材の外部の加熱または冷却を行う熱交換器及びそれを使用した空気調和装置において、熱交換部である流路部材表面の温度の立ち上がりがより速く、熱交換効率にすぐれており、さらに吸・放熱性、吸・放湿性、吸着分解性及び抗菌性あるいはマイナスイオンの発生など各種機能性を付与したものに関する。
【背景技術】
【０００２】
従来、空気調和機や床暖房装置等に用いられる熱交換器のひとつとして連続した管状の流路管がある。一般的な流路管は円管状であり、内部に温水や冷水あるいは加熱蒸気（スチーム）が通されて表面が加熱または冷却され、外部との間で熱交換を行うことにより暖房または冷房を行うものである（例えば、特許文献１参照）。
このような流路管は、例えば、その構造上、配管の方向に制限があるヒートパイプとは相違して配管の方向に制限がなく自由な方向に施工することができ、構造もシンプルで安価なので広く利用されている。【０００３】
【特許文献１】特開２００６−２９４１６
【発明の開示】
【発明が解決しようとする課題】
【０００４】
しかしながら、上記したような流路管には、次のような課題があった。
すなわち、流路管の内部を流れる熱媒体のうち、流路管と熱交換を行うのは、流路管の内面に接するか、ごく近傍を流れる熱媒体であり、管の中心部またはその近傍を流れる熱媒体は、内面とは離れているため、直接的にはほとんど熱交換を行っていない。
したがって、流路管に供給される熱エネルギーの量を基準とすれば、流路管表面で熱交換されている熱エネルギーは多くはなく、例えば流路管表面の温度の立ち上がりが遅く、熱交換効率がよいとはいえない。【０００５】
そこで本発明の目的は、流路部材の内部に熱媒体を流通させ、熱媒体との熱交換によって流路部材の外部の加熱または冷却を行う熱交換器及びそれを使用した空気調和装置において、熱交換部である流路部材表面の温度の立ち上がりがより速く、熱交換効率にすぐれたものを提供することである。
また、本発明の他の目的は、上記目的に加え、さらに吸・放熱性、吸・放湿性、吸着分解性及び抗菌性あるいはマイナスイオンの発生など各種機能性を付与したものを提供することである。
【課題を解決するための手段】
【０００６】
上記目的を達成するために本発明が講じた手段は次のとおりである。
本発明は、流路部材の内部に熱媒体を流通させ、熱媒体との熱交換によって流路部材の外部の加熱または冷却を行う熱交換器であって、流路部材の内部には中芯部材が設けられており、中芯部材の表面と流路部材の内面によって、熱媒体を流通させることができる流路が形成されている、熱交換器である。【０００７】
本発明に係る熱交換器は、中芯部材が多角柱形状を有しており、該中芯部材の各角部が流路部材の内面に当接することによって該流路部材内部に周方向へ複数の流路が形成された構造とすることもできる。【０００８】
本発明に係る熱交換器は、中芯部材が多角柱形状を有しており、該中芯部材の各角部が流路部材の内面に当接することによって該流路部材内部に周方向へ複数の流路が形成されており、前記流路部材の端部には、流通経路から流入する熱媒体を分配して各流路に送る手段または各流路を通った熱媒体を合流させて流通経路へ送る手段を設けられた構造とすることもできる。【０００９】
本発明に係る熱交換器は、中芯部材に断熱性を持たせることもできる。【００１０】
本発明に係る熱交換器は、中芯部材に蓄熱性を持たせることもできる。【００１１】
本発明に係る熱交換器は、流路内を流通する熱媒体を乱流状態にする手段を設けることもできる。【００１２】
本発明に係る熱交換器は、流路部材の外面に、熱伝導性、放熱性または吸熱性を有する被覆層を設けることもできる。【００１３】
本発明に係る熱交換器は、流路部材の外面に、親水性、吸湿性、放湿性を有する被覆層を設けることもできる。【００１４】
本発明に係る熱交換器は、流路部材の外面に、吸着分解性及び抗菌性を有する被覆層を設けることもできる。【００１５】
本発明に係る熱交換器は、流路部材の外面に、マイナスイオンを発生する被覆層を設けることもできる。【００１６】
本発明は、前記いずれかの熱交換器を単種類で、または複数種類を複合して鉛直方向または水平方向あるいはそれ以外の方向に並設し、前記熱交換器に熱媒体を循環させるようにした、空気調和装置である。【００１７】
熱交換器を形成する流路部材は、熱伝導性、放熱性または吸熱性の良好な材料、例えば金属（ステンレス、アルミニウムなど）、合成樹脂（合成繊維を含む）、カーボンファイバーなどが好適に使用される。流路部材と中芯部材は、別体に形成したものを組み合わせてもよいし、各種成形方法によって一体に形成することもできる。【００１８】
中芯部材を流路部材に収容する構造では、流路部材としては各種管体が採用されるが、収容される中芯部材の形状との組み合わせによって流路を形成することができるものであれば特に形状を限定するものではなく、一般的な円管の他、角管（三角管、四角管、五角管、六角管、八角管など）を採用することもできる。【００１９】
中芯部材に断熱性を持たせる（付与する）手段としては、例えば中芯部材そのものを断熱性の良好な材料、例えば発泡ポリエチレン、発泡ポリプロピレン、硬質ウレタンフォーム、塩化ビニルフォーム、ゴム（合成ゴムを含む）、合成樹脂、プラスチック等で形成する方法があるが、これに限定するものではない。【００２０】
中芯部材に蓄熱性を持たせる（付与する）手段としては、例えば中芯部材そのものを蓄熱性を有する材料、または比熱が大きい材料で形成する方法があるが、これに限定するものではない。
例えば、中芯部材を各種蓄熱性を有する材料または熱伝導性の良好な材料で中空体（または管体）を形成し、中空部にプロピレングリコール等の蓄熱性を有する材料、または比熱が大きい材料を充填した構造をあげることができる。さらには、中芯部材を、連続気泡を有するウレタンフォーム等の吸液性を有する材料で形成し、その吸液性材料に流通経路内に流通させる液状の熱媒体を吸液させた構造等をあげることができる。【００２１】
中芯部材は、流路部材と協働して流路を形成することができれば、その形状は特に限定するものではない。例えば、円柱形状、三角柱形状、四角柱形状、五角柱形状、六角柱形状、八角柱形状などである。また、中芯部材は、中実体でもよいし、内部に空間部があるもの、例えば管体であってもよい。【００２２】
流路部材表面には被覆層を設けることができる。被覆層としては、例えば、塗料やコーティング剤などが採用できる。流路部材がアルミニウム製の場合は、表面に染料を吸着させて着色（例えば、黒色、青色、緑色、赤色、黄色、灰色、白色、金色、銀色など）したアルミニウムの陽極酸化処理（アルマイト処理）などが好適に用いられる。【００２３】
被覆層としては、熱交換効率（熱交換性）を向上させるためには、熱伝導性、放熱性や吸熱性にすぐれたものを設けるのが好ましい。流路部材外部の湿度を好適に調節するためには、親水性、吸湿性、放湿性にすぐれたものを設けるのが好ましい。また、流路部材外部のＶＯＣ（揮発性有機化合物）や臭気などを改善し、空気を清浄化するためには、吸着分解性及び抗菌性にすぐれたものを設けるのが好ましい。さらに、流路部材外部に環境的な癒しの空間を得るためには、マイナスイオンを発生する能力にすぐれたものを設けるのが好ましい。【００２４】
親水性、吸湿性、放湿性あるいは吸着分解性及び抗菌性を有する被覆層としては、例えば活性炭などの炭、活性アルミナ、シリカゲル、二酸化チタン、ポリアクリル酸ナトリウム架橋体、酸化チタン、イオン交換樹脂、ベントナイト、珪藻土などを配合したものがあげられるが、これらに限定はされない。
マイナスイオンを発生する被覆層としては、例えば活性炭などの炭、セラミックス、トルマリンなどを配合したものがあげられるが、これらに限定はされない。【００２５】
流路部材の流路に流通させる熱媒体としては、熱エネルギーを十分に蓄えることができれば、その種類を特定するものではなく、液体でも良いし、気体でも良い。
液体としては、例えば、水（温水、冷水などを含む）、不凍液（例えばプロピレングリコールの３７％溶液に防錆剤を配合したもの：使用温度域−２０℃〜７０℃）、油などが好適に使用される。また、気体としては、例えば冷房、暖房ができる冷媒ガス（加温の場合：二酸化炭素、冷却の場合：アンモニア、加温・冷却の場合：ＨＦＣ(Hydrofluorocarbons)系などの新冷媒）が好適に使用される。【００２６】
なお、熱媒体に熱エネルギーを与える手段は、特に限定するものではない。例えば、太陽熱、地熱、風力、水力、電力などを利用した加熱装置あるいはヒートポンプ、空気熱源などが好適に使用される。また、排熱などの二次的な産物は、廃棄せず利用するようにしてもよい。これによれば、例えば蓄熱部に熱容量の高い材料または蓄熱性のよい材料を使用することにより、昼間に溜めた熱を夜間に使用したり、夜間に溜めた熱を昼間に使用したりすることができる。後者の場合では深夜電力を使用したりすることで、エネルギーコストを安価にすることもできる。【００２７】
本発明に係る熱交換器は、例えば、住宅、店舗、事務所、工場、体育館、劇場、集会場、図書館、スタジオ、病院、老人ホーム、旅館、ホテル、イベントホール、倉庫（保冷庫を含む）、精密室、クリーンルームや無菌室などの建築物の空気調和機や輻射冷暖房装置として、または鶏舎、豚舎、牛舎、ビニールハウスなどの農業施設の空気調和機や輻射冷暖房装置として、またはプール、水族館、養殖場、温泉施設などの水温調節装置として、さらには調湿装置、乾燥装置、遠赤外線加温装置、融雪装置、熱回収装置として利用するなど、様々な用途で好適に使用される。【００２８】
（作  用）
本発明に係る熱交換器の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。【００２９】
熱交換器(H)に熱媒体を供給する。熱媒体は、流路部材(1)の内部に中芯部材(2)が設けられているため、流路部材(1)の中心部分を通ることなく、内周面(14)に接している流路(15)を通り、流路部材(2)の壁部と熱交換を行う。
つまり、熱媒体を、直接には熱交換を行うことができない流路部材(1)の中心部分には流さず、熱交換を直接的に行うことができる内周面(14)に接する部分に流すことにより、中芯部材(2)を設けない場合と比較して熱媒体の単位流量当たりの熱交換面積が大きくなるので、効率的な熱交換が可能である。
【発明の効果】
【００３０】
（ａ）本発明は、流路部材の内部に中芯部材が設けられているため、熱媒体は流路部材の中心部分を通ることなく、内周面に接している流路を通り、流路部材の壁部と熱交換を行うことができる。つまり、熱媒体を、直接には熱交換を行うことができない流路部材の中心部分には流さず、熱交換を直接的に行うことができる内周面に接する部分に流すことにより、中芯部材を設けない場合と比較して、熱媒体の単位流量当たりの熱交換面積が大きくなるので、効率的な熱交換が可能である。したがって、熱交換部である流路部材表面の温度の立ち上がりが速く、利便性にすぐれている。【００３１】
（ｂ）中芯部材は多角柱形状を有しており、中芯部材の各角部が流路部材の内面に当接することによって流路部材内部に周方向へ複数の流路が形成されているものは、中芯部材を流路部材に収容するだけで流路を形成することができる簡単な構造となっており、しかも多角形の角数を変えるだけで流路の数を簡単に調節することができる。【００３２】
（ｃ）流路部材の端部に、流通経路から流入する熱媒体を分配して各流路に送る手段または各流路を通った熱媒体を合流させて流通経路へ送る手段が設けられているものは、流路が区画されて複数設けられる場合、各流路の流量を均等化することができ、熱交換部に機能的な偏りが生じることを防止できる。【００３３】
（ｄ）中芯部材が断熱性を有するものは、流路を流通する熱媒体と中芯部材との間で熱交換が行われず、熱交換はほとんどが熱媒体と流路部材の間で行われるので、熱交換効率がより向上する。【００３４】
（ｅ）中芯部材が蓄熱性を有するものは、熱媒体が流路に流通することにより中芯部材が加熱され、中芯部材に熱媒体の温度に対応した所要の熱量を蓄熱することができる。中芯部材が蓄熱されていることによって、中芯部材に接して流路を流通している熱媒体が冷えにくくなり、流路部材から安定した効率のよい放熱が行われる。また、間欠運転を行う際には、熱媒体の供給が停止したときにも中芯部材に蓄熱されていた熱が供給され放熱に利用されるので、熱交換器からの放熱量が安定し、温度変動の少ない室温の制御を行うことができる。【００３５】
（ｆ）流路内を流通する熱媒体を乱流状態にする手段が設けられているものは、熱媒体の内部での温度のムラが生じにくくなり、熱媒体と流路部材との間で熱エネルギーがより移動し易くなる。これにより、熱交換効率がより向上する。【００３６】
（ｇ）流路部材の外面に、熱伝導性、放熱性または吸熱性を有する被覆層が設けられているものは、熱交換効率を向上させることができる。すなわち、熱伝導性、放熱性または吸熱性にすぐれたものは、遠赤外線を含む赤外線の放射性（放熱性）にすぐれており、また、遠赤外線を含む赤外線の吸収性（吸熱性）にすぐれている。これにより、被覆層表面での熱交換が盛んに行われ、熱交換効率が向上することになる。【００３７】
（ｈ）流路部材の外面に、親水性、吸湿性、放湿性を有する被覆層が設けられているものは、流路部材外部の湿度を好適に調節することができる。すなわち、熱交換器において流路部材外部の空気は流路部材との温度差によって対流が促進され、空気が速やかに入れ替わるので、空気中の湿度を調節する効果によりすぐれている。【００３８】
（ｉ）流路部材の外面に、吸着分解性及び抗菌性を有する被覆層が設けられているものは、流路部材外部のＶＯＣや臭気を改善し、空気を清浄化することができる。すなわち、熱交換器において流路部材外部の空気は流路部材との温度差によって対流が促進され、空気が速やかに入れ替わるので、空気中のＶＯＣや臭気を改善して空気を清浄化する効果によりすぐれている。【００３９】
（ｊ）流路部材の外面に、マイナスイオンを発生する被覆層が設けられているものは、流路部材外部に環境的な癒しの空間を得るために有用である。すなわち、熱交換器において流路部材外部の空気は流路部材との温度差によって対流が促進され、空気が速やかに入れ替わるので、被覆層で発生したマイナスイオンを空気中に効率よく拡散させることができる機能性にすぐれている。
【図面の簡単な説明】
【００４０】
【図１】本発明に係る熱交換器の一実施の形態を示す斜視図。
【図２】図１に示す熱交換器の両端部側の構造を示す拡大断面図。
【図３】図１に示す熱交換器の側面視拡大説明図。
【図４】キャップと流路部材の連結部の構造を示す分解斜視説明図。
【図５】流路部材と中芯部材を示す斜視説明図。
【図６】流路部材と中芯部材の他の例を示す斜視説明図。
【図７】流路部材と中芯部材の他の例を示す斜視説明図。
【図８】流路部材と中芯部材の他の例を示す斜視説明図。
【図９】本発明に係る空気調和装置の第１実施形態を設置した状態を示し、（ａ）は正面図、（ｂ）はＡ−Ａ拡大断面図。
【図１０】本発明に係る空気調和装置の第２実施形態を設置した状態を示し、（ａ）は正面図、（ｂ）はＢ−Ｂ拡大断面図。
【図１１】本発明に係る空気調和装置の第３実施形態を設置した状態を示し、（ａ）は正面図、（ｂ）はＣ−Ｃ拡大断面図。
【符号の説明】
【００４１】
Ｈ  熱交換器、  １  流路部材、  １０  被覆層、  １１，１２  補強体、
１３  貫通孔、  １４  内周面、  １５  流路、  
２  中芯部材、  ２０  角部、  ２１  嵌合凹部、  ２２  流通溝、
２３  凸部、  ２ａ  中芯部材、  ２ｂ  中芯部材、  ２ｃ  中芯部材、
３  キャップ、  ３０  止端部、  ３１  嵌合部、  ３２  シール部材、
３３  凹溝、  ３４  ネジ穴、  ３５  流通路、  ３５０  ネジ部、
３６  連通溝、  ３７  分配路、  ３８  嵌合凸部、  ３９  ネジ孔、
４  固定ネジ、  ５  接続部材、  ６  空気調和装置、
６０，６０ａ  支柱部材、  ６１  固定具、  ６２  配管、  ６３  樋、
６３０  排水管、  ６４  蓄熱体、  ６８  天井部、  ６９  床部、
７  空気調和装置、  ７０，７０ａ  支柱部材、  ７１  固定具、
７２  下部連結部材、  ７３  上部連結部材、  ７４  配管、  ７７  側壁部、
７８  天井部、  ７９  床部、
８  空気調和装置、  ８０  基台、  ８１  下部連結盤、  ８２  上部連結盤、
８３  配管、  ８５  支柱部材、  ８９  床部
【発明を実施するための最良の形態】
【００４２】
本発明の実施の形態を図面に基づき更に詳細に説明する。
図１は本発明に係る熱交換器の一実施の形態を示す斜視図、
図２は図１に示す熱交換器の両端部側の構造を示す拡大断面図、
図３は図１に示す熱交換器の側面視拡大説明図、
図４はキャップと流路部材の連結部の構造を示す分解斜視説明図、
図５は流路部材と中芯部材を示す斜視説明図である。【００４３】
熱交換器Ｈは、所要長さを有する円管状の流路部材１の内部に設けた複数の流路１５（後述）に熱媒体を流通させ、この熱媒体が有している熱エネルギーを流路部材１の周壁部を介して外部と熱交換することにより、外部を加熱または冷却することができるものである。【００４４】
（流路部材１）
流路部材１は、所要径を有する円管形状であり、熱伝導性にすぐれたアルミニウムで形成されている。流路部材１の内部には、断熱性を有する発泡ポリエチレンで形成された正六角棒（正六角柱）状の中芯部材２が収容されている。また、流路部材１の両端には、内部を密閉する合成樹脂製のキャップ３が着脱可能に固着されている。中芯部材２及びキャップ３については、後で詳述する。【００４５】
流路部材１の外周面には、全面にアルミニウムの陽極酸化処理（アルマイト処理）による被覆層１０が設けてある。被覆層１０は、アルマイト処理時に表面に染料を吸着させて着色されている。被覆層１０を設けることにより、流路部材１の熱伝導性、放熱性または吸熱性をさらに高めることができる。【００４６】
また、流路部材１の外周面には、帯板状の補強体１１、１２が立てた状態で固定されている。補強体１１、１２は、流路部材１の補強のために長さ方向の略全長にわたり設けられており、所要間隔をおいて平行に並設されている。なお、補強体１１、１２は、流路部材１と同じアルミニウムで形成されている。【００４７】
流路部材１の両端側には、キャップ３を固定する固定ネジ４を通すための貫通孔１３が形成されている。貫通孔１３は、後述するキャップ３のネジ穴３４と対応するように周方向に等間隔で四箇所に形成されている。【００４８】
流路部材１の内周面１４には、流路部材１に収容される中芯部材２を軸周方向に回らないように摩擦力を高めるための位置決め溝が、長さ方向の全長にわたり、かつ軸周方向へ多数設けられている。位置決め溝は深さはごく僅かであり、本数も多いので、図示及び符号を省略している。なお、位置決め溝は設けなくてもよいが、設けることにより位置決めが容易にできる利点がある。【００４９】
（中芯部材２）
中芯部材２は、発泡ポリエチレンで正六角柱形状に形成されている。中芯部材２は、流路部材１の全長よりやや短い（図２参照：図５では流路部材１の端部を切り欠いて表している）中実体であり、流路部材１の内部に収容することにより、各角部２０が全長にわたり流路部材１の内周面１４と当たるように形成されている。【００５０】
中芯部材２の両端面には、後述するキャップ３の嵌合凸部３８と嵌め合う嵌合凹部２１が形成されている。嵌合凹部２１は、側面視において中芯部材２の外形状と略同じ正六角形状に形成されているが、この形状は中芯部材２が軸周方向へ回らないようにすることができれば、上記嵌合凸部３８の形状とともに限定するものではない。【００５１】
中芯部材２の各角部２０には、角部２０を所要の幅で軸周方向へ切欠するようにして流通溝２２が形成されている。流通溝２２は、中芯部材２の長手方向において同じ位置に六箇所設けられ、さらに長手方向に複数箇所設けられている。各流通溝２２は、各流路１５を連通させることで、乱流を促進しながら各流路１５における圧力を平均化して円滑な流通を可能にするものである。なお、流通溝２２が中芯部材２の軸周方向において設けられる数、長手方向に設けられる数、位置及び総数共に特に限定されるものではない。【００５２】
なお、使用される発泡ポリエチレンは、独立気泡体であり耐薬品性にもすぐれている。したがって、中芯部材２には熱媒体が浸潤せず、浸潤によって断熱性能が低下することを防止することができる。また、化学的に侵されて変質や変形あるいは溶解を起こすことも防止または軽減することができる。【００５３】
中芯部材２は、各角部２０を内周面１４に当てた状態で流路部材１の内部に収容されている。このようにして、中芯部材２を流路部材１の内部に収容することにより、流路部材１の内周面１４と中芯部材２の外面によって、熱媒体が流通する流路１５が形成されている。中芯部材２は正六角柱形状を有しているので、流路１５は互いに区画された状態で周方向の六箇所に形成されている。各流路１５は熱媒体を流路部材１の内面１４の本質的に全面に接するように流通させることができる。【００５４】
（キャップ３）
キャップ３は、同じ構造のものが流路部材１の両端部（流入側と流出側）に固着されている。いずれのキャップ３も、後述する取付方法、構造によって同様に固着される。
キャップ３は、熱媒体が流通する流通経路（熱交換器Ｈの外部）から流入する熱媒体を分配して各流路１５に送る手段及び各流路１５を通った熱媒体を合流させて流通経路へ送る手段を構成する。【００５５】
キャップ３は、流路部材１の外径と同じ外径を有する止端部３０と、流路部材１の内径よりわずかに径小で内嵌めされる嵌合部３１を一体に有している。止端部３０は、嵌合部３１を内嵌めしてキャップ３を流路部材１端部に装着したときのストッパーとなるものである。【００５６】
嵌合部３１の外周面には、凹溝３３が嵌合部３１の長手方向の二箇所に所要間隔で全周にわたり形成されている。凹溝３３には、それぞれシール部材３２が嵌め込まれ、流路部材１の内周面１４と嵌合部３１の外周面との間を密閉状態にすることができる。シール部材３２としては、例えばゴム製のＯリングが好適に使用されるが、これに限定するものではない。【００５７】
嵌合部３１の外周面のうち止端部３０寄りには、キャップ３を流路部材１に固定する固定ネジ４をねじ込むためのネジ穴３４が形成されている。ネジ穴３４は、流路部材１に設けられている貫通孔１３と対応するように周方向に等間隔で四箇所に形成されている。【００５８】
キャップ３には、止端部３０の外端面の中心部から内部へ向けて流通路３５が中心軸線方向に設けられている。流通路３５の先端部（奥端部）は、キャップ３の長手方向の約２／３の深さに位置している。流通路３５にはネジ部３５０が設けられており、ネジ部３５０には接続部材５が螺着されている。接続部材５の他端側は、熱媒体の流通経路となるホースや流路管など公知のものに接続される。
なお、符号３９は、熱交換器Ｈを設置箇所に支持固定するためにネジ（図示省略）が螺着されるネジ孔である。ネジ孔３９は、軸周方向の四箇所に等間隔で設けられている。【００５９】
また、嵌合部３１の外周面のうちシール部材３２より内方側には、周方向に等間隔で六箇所に連通溝３６が設けられている。各連通溝３６は、嵌合部３１の内端面まで設けられ、流路部材１に中芯部材２が収容されることにより形成される各流路１５に対応して連通するように、キャップ３の長手方向に互いに平行になるように形成されている。
各連通溝３６は、上記流通路３５と分配路３７によって連通している。分配路３７は、流通路３５の先端部から各連通溝３６へ向けて放射方向に六箇所に設けられている。【００６０】
なお、上記連通溝３６及び分配路３７は、それぞれ流路１５の数に合わせて設けられるもので、流路１５が三箇所であれば三本、四箇所であれば四本、五箇所であれば五本、八箇所であれば八本設けられる。このように、連通溝３６及び分配路３７などの分配流路は、複数の流路１５の数に対応して流路１５に通じるように設けられる。また、分配部の構造は、連通溝３６を設けずに分配路３７を直接各流路１５まで延長する構造でもよい。
キャップ３の嵌合部３１側の内端面には、中芯部材２の嵌合凹部２１にほぼ隙間のない状態で嵌合する嵌合凸部３８が形成されている。嵌合凸部３８は、正面から見て正六角形状に形成されている。【００６１】
キャップ３は、嵌合凸部３８が中芯部材２の端面の嵌合凹部２１と嵌合するように嵌合部３１を流路部材１に内嵌めし、流路部材１の貫通孔１３を通してネジ穴３４に固定ネジ４をねじ込むことにより取り付けられる。キャップ３の嵌合凸部３８を中芯部材２の嵌合凹部２１に嵌合させることにより、中芯部材２は流路部材１の内部で軸周方向に回ることはなく、各流路１５はキャップ３の連通溝３６とずれない。これにより、例えば中芯部材２の各角部が各連通溝３６と同じ位置になって熱媒体の流通に支障が出ることを防止できる。【００６２】
本実施の形態においては、流路部材１の外周面部にアルミニウムの陽極酸化処理によって形成した被覆層を設けたが、流路部材が十分な熱伝導性、放熱性または吸熱性を有していれば、必ずしも設けなくてよい。また、設ける場合でも、上記したものに限定するものではなく、付加したい機能性に応じて被覆層の種類を変えることができる。【００６３】
例えば、熱交換器Ｈの熱交換効率を向上させるためには、熱伝導性、放熱性や吸熱性にすぐれた被覆層を設ければよい。また、熱交換器Ｈの流路部材外部の湿度を好適に調節するためには、親水性、吸湿性、放湿性にすぐれた被覆層を設ければよい。また、熱交換器Ｈの流路部材外部のＶＯＣや臭気を改善し、空気を清浄化するためには、吸着分解性及び抗菌性にすぐれた被覆層を設ければよく、さらに、好ましくは環境的な癒しの空間を得ることができるマイナスイオンを発生する能力にすぐれた被覆層を設けることもできる。【００６４】
（作  用）
図１ないし図５を参照して、本実施の形態に係る熱交換器Ｈの作用を説明する。
熱交換器Ｈは、流路１５に温かい熱媒体を流通させることにより、設置された施設などを加温する機能を発揮し、冷たい熱媒体を流通させることにより、設置された施設などを冷却する機能を発揮することができる。流通させる熱媒体の温度は、設置される場所や用途によって適宜設定されるものであり、特に限定されるものではない。【００６５】
熱交換器Ｈは、例えば住宅やその他の施設などで空気中に設置されることにより、例えば流路部材１の表面が所要の長さで空間に露出している。
熱媒体は、流通経路に設けられている温度調節機によって所要の温度に加温または冷却され、ポンプで熱交換器Ｈへ送り出される。熱媒体は、接続部材５を通り、キャップ３の流通路３５（図２に示すように流通路３５のうち接続部材５が占めていない部分）に導入され、さらに分配路３７から連通溝３６を通り、各流路１５へ送られる。【００６６】
なお、各分配路３７に、熱媒体の流通ができたりできなかったりする切り換え手段を付与することもできる。これによれば、各流路１５のうちいくつかを選択して熱媒体を流通させることもでき、例えば流路部材１のうち、設置の都合上、熱交換が行われない側の流路１５には熱媒体を流さないようにするなど、さらに無駄のない効率的な熱交換が可能になる。【００６７】
各流路１５を通る熱媒体は、直接的には流路部材１と熱交換を行い、流路部材１の外面と接している外気または周囲の物質とは流路部材１を介して間接的に熱交換を行う。この熱交換は、伝導、輻射または対流による熱移動によって行われる。
つまり、熱媒体と熱交換された流路部材１の温度が外気や物質より高ければ、流路部材１と外気や物質との熱交換によって外気や物質の温度が上がり、熱媒体の温度は下がる。
また、逆に、熱媒体と熱交換された流路部材１の温度が外気や物質より低ければ、流路部材１と外気や物質との熱交換によって外気や物質の温度が下がり、熱媒体の温度は上がる。【００６８】
上記熱交換が行われる際、熱媒体は上記のように分配されることによって各流路１５において流量や流速がほぼ均等になるように流れている。しかも、流路部材１の内部を流れる熱媒体は、中芯部材２が収容されている流路部材１の中心部分を流れることなく、流路部材１の内周面１４の各角部２０の接触部分を除くほぼ全面に接している各流路１５を流れる。つまり、熱媒体を、直接には熱交換を行うことができない流路部材１の中心部分には流さず、熱交換を直接的に行うことができる内周面１４に接するように流すことにより、効率的な熱交換が可能である。しかも、中芯部材２は断熱性にすぐれており、熱媒体と中芯部材２との間では熱交換がほとんど行われないので、より効率がよい。【００６９】
すなわち、中芯部材２を設けない一般的な管状の熱交換器と本発明の熱交換器Ｈを比較したとき、熱媒体の流量を同じにした場合、つまり供給する熱量が同じである場合では、本発明の熱交換器Ｈの方がより短い時間で流路部材１の温度を所定の温度まで上昇または下降させることができる。いいかえれば、流路部材１の表面の温度の立ち上がりが速い。また、流路部材１の表面の温度の立ち上がり時間を基準にすれば、より少ない流量（より少ない熱量の供給）で同等の加熱ができるともいえる。
なお、流路部材１の外周面には熱伝導性、放熱性または吸熱性を高める被覆層１０が設けられているので、上記流路部材１と外気との熱交換は効率よく良好に行われる。これらの機能性については、後述する試験によって検証する。【００７０】
また、中芯部材２には蓄熱性を持たせることもできる。ここでは、中芯部材２を連続気泡を有し吸液性を有するウレタンフォームで形成した場合で説明する。なお、この場合の中芯部材２の形状（構造）は、前記熱交換器Ｈと同様であるので、図示は省略する。【００７１】
中芯部材２はウレタンフォーム製で吸液性を有しているので、各流路１５を流通している熱媒体は中芯部材２に浸潤する。中芯部材２に浸潤した熱媒体には、流路１５を流通している熱媒体から常に熱が供給されて加熱され、中芯部材２内部の熱媒体の温度は、外側を流通している熱媒体とほぼ同じ温度で維持される。これにより、中芯部材２には内部の熱媒体によって所要の熱量が蓄熱される。【００７２】
中芯部材２に蓄熱されていることによって、中芯部材２に接して流路１５を流通している熱媒体が冷えにくくなり、流路部材１から安定した効率のよい放熱が行われる。また、例えば流路部材１への熱媒体の供給と供給停止を交互に繰り返して室温を制御する間欠運転を行う際には、熱媒体の供給が停止したときにも中芯部材２に蓄熱されていた熱が供給され放熱に利用されるので、熱交換器Ｈからの放熱量が安定し、温度変動の少ない室温の制御を行うことができる。【００７３】
流路部材１の外周面に設けられている補強体１１、１２は、熱交換部の面積を拡げる機能も持っており、流路部材１と外気との熱交換を助けている。補強体１１、１２は、さらに数を増やすこともでき、例えばフィンのように流路部材１の全体に形成して熱交換効率をさらに高めることもできる。なお、補強体１１、１２や上記フィン状に配した補強体には、流路部材１と同様に熱伝導性、放熱性または吸熱性を高める被覆層を設けるのがより好ましい。
また、補強体１１、１２は、熱交換器Ｈを冷房装置として使用した場合において、流路部材１の外周面に結露する水滴をドレンパンなどに案内する案内部材として利用することもできる。更に、熱交換器Ｈを架台に取り付けるときのブラケットとして利用したり、配管や設置の際に軸周方向の姿勢を決めるときの目印として利用することもできる。【００７４】
ところで、温水や冷水の送り始めでは、送る液体と共に空気が流路部材１内に入ってしまうことがある。この空気が流路１５に滞ってしまうと、熱媒体が流路部材１の内周面１４と接することができない部分を形成し、熱媒体と流路部材１との間で熱交換が行われにくくなるので好ましくない。熱交換器Ｈにおいては、上記したように中芯部材２の各角部２０に流通溝２２が設けられ、各流路１５の間で流通が可能になっている。これにより、流路１５の内部に空気が入っても、熱媒体の流通と共に流通溝２２を通して他の流路１５に分散させることにより、熱交換器Ｈの外部へ排出しやすくなっている。【００７５】
本発明の熱交換器Ｈの機能を検証するために次のような試験を行った。
（試験方法）
この試験では、冷水を流通させる冷却試験（試験１）と、温水を流通させる加温試験（試験２）を行い、流路部材１の外周面の温度変化の推移と、外周面が最低温度（試験１）または最高温度（試験２）に到達するまでにかかる時間を測定した。なお、室温は一定とした。【００７６】
使用したモデルは次の四種類である。
モデル０は、熱交換器Ｈと比較する対象とするもので、熱交換器Ｈの流路部材１から中芯部材２を取り外したものである。使用した熱交換器Ｈの流路部材１の外径は６０ｍｍ、長さは１ｍである。
モデル１は、熱交換器Ｈであり、流路部材１の被覆層を黒色に着色したアルマイト処理層としたものである。
モデル２は、熱交換器Ｈにおいて流路部材１の被覆層をクールテック（商品名：オキツモ株式会社）に変えたものである。
モデル３は、熱交換器Ｈにおいて流路部材１の被覆層を活性炭を主剤とするハイブリッドサーモコーティング（商品名：有限会社アクア：表１、表２ではＨＢサーモと略して表示した）に変えたものである。このハイブリッドサーモコーティングは、表面積がきわめて大きく、放熱性、吸湿性、放湿性、吸着分解性及び抗菌性及びマイナスイオンの発生にすぐれたものである。【００７７】
上記各モデルを熱媒体流通路に並列に配し、温度測定器（商品名：データロガ、株式会社テイアンドデイ社製(TR-71U)）の温度センサをモデル１〜３の流路部材１の長手方向の中間点表面と、流出側端部の流路部材１の内部にそれぞれ設けた。モデル０については、設備の都合上、温度センサは流路部材１の長手方向の中間点表面のみに設けた。【００７８】
各モデルの熱媒体の流入側の圧力は同じであるが、流量はモデル０とモデル１〜３では異なるので、流量を実質的に同じにするために、モデル０については流量の調節を流路部材１外部で行った。
そして、熱媒体として、毎分１Ｌの温水または冷水を各モデルに供給し、温度センサで各部の温度を一定時間ごとに測定した。なお、モデル０については、流路部材１の表面温度のみを一定時間ごとに測定した。さらに各モデル０〜３の温度の推移と共に最低または最高温度と、そこに到達するまでの時間も測定した。【００７９】
（試験１）
試験１では、熱源機にヒートポンプチラー（商品名：エコヌクールピコ、三菱電機株式会社(VEH-406HCU-K2,VEH-406HPU)）を使用し、熱媒体である冷水を最低温度７℃までに冷却する条件で運転し供給した。したがって、常時７℃の冷水を供給したのではなく、冷水の温度には多少の変動がある。【００８０】
【表１】
2009130764.tif 000003
【００８１】
（試験２）
試験２では、熱源機に試験１と同様にヒートポンプチラーを使用し、熱媒体である温水を最高温度５２℃までに加温する条件で運転し供給した。したがって、常時５２℃の温水を供給したのではなく、温水の温度には多少の変動がある。【００８２】
【表２】
2009130764.tif 000004
【００８３】
（考  察）
表１、２から分かるとおり、中芯部材２が設けられていないモデル０と、中芯部材２を設けているモデル１〜３の間には、流路部材１の表面温度の立ち上がり速度において明らかな違いがあった。
まず、表１において、モデル０では、最低温度の１０．２℃になるまでにかかった時間は１２分１１秒であったが、熱交換器Ｈのモデル１では、最低温度の７．９℃になるまでにかかった時間は１０分２４秒であった。また、被覆層が異なるモデル２、３も、それぞれ８．７℃まで１０分３１秒、８．１℃まで１０分１９秒であった。
すなわち、モデル１〜３は、いずれもモデル０に比べて最低温度までの立ち上がり時間が短いことと、最低温度もより低くなることが確認できた。【００８４】
また、表２において、モデル０では、最高温度の４９．５℃になるまでにかかった時間は１１分３２秒であったが、熱交換器Ｈのモデル１では、最高温度の５１．２℃になるまでにかかった時間は９分４７秒であった。また、被覆層が異なるモデル２、３も、それぞれ５０．５℃まで９分４２秒、５０．７℃まで９分４６秒であった。
すなわち、モデル１〜３は、いずれもモデル０に比べて最高温度までの立ち上がり時間が短いことと、最高温度もより高くなることが確認できた。【００８５】
上記試験結果から、中芯部材２を流路部材１に設けたモデル１〜３の方が、中芯部材２を流路部材１に設けていないモデル０より熱交換効率が良好であり、省エネルギー効果が高いということがわかった。また、短時間で設定温度まで到達することができるので、熱媒体に熱エネルギーを与える装置から供給される熱エネルギーの熱損失量も少なくできるので、熱輸送効率にもすぐれている。【００８６】
さらに、表１、表２では、被覆層の違いによる熱交換効率の違いも検証することができる。すなわち、流路部材１の外周面にブラックアルマイトの被覆層を設けたモデル１、同じく放熱性にすぐれた塗料として市販されているクール・テックの被覆層を設けたモデル２、同じくハイブリッドサーモコーティングの被覆層を設けたモデル３の間にも熱交換効率の差が認められる。【００８７】
表１、表２では、モデル１〜３について、流路部材１表面と流出側の熱媒体の温度を検出している。これらの温度差から熱交換効率を検証する。
まず、冷却試験を行った表１においては、一分ごとに検出された上記温度差の平均値は、モデル１では−０．１５、モデル２では０．０３、モデル３では０．４４である。冷却試験では、この差の数値が大きいほど熱交換効率にすぐれているので、モデル３、モデル２、モデル１の順で熱交換効率にすぐれていることになる。【００８８】
また、加温試験を行った表２においては、一分ごとに検出された上記温度差の平均値は、モデル１では０．８４、モデル２では０．６３、モデル３では０．１４である。加温試験では、この差の数値が小さいほど熱交換効率にすぐれているので、上記表１の場合と同様にモデル３、モデル２、モデル１の順で熱交換効率にすぐれていることになる。
このように、流路部材１の表面に被覆層として、放熱性によりすぐれた被覆層を設けることにより、熱交換効率が向上することが確認できた。【００８９】
また、モデル１〜３については、上記試験１、２とは別に、流路部材１に熱媒体として温水を流通させるときの表面から発生するマイナスイオンを計測した。マイナスイオンの発生を検証するために、マイナスイオンカウンター（商品名：アンデス電気株式会社（ITC-201A））を使用し、モデル１〜３の縦方向に配置した各流路部材１の長さ方向中央の位置で表面から２０ｍｍ離れた位置で計測した。この計測は、温度３０℃、湿度５３〜５４％の条件下で行った。
マイナスイオンの発生量は、モデル１（被覆層：ブラックアルマイト）で２８０個／ｃｃ、モデル２（被覆層：クールテック）で２９０個／ｃｃ、モデル３（被覆層：ハイブリッドサーモコーティング）で４１０個／ｃｃであった。なお、この値は、マイナスイオンの計測を０．２５秒ごとに１０分間行ったときの平均値である。【００９０】
なお、熱交換器Ｈにおいては、中芯部材２として正六角柱形状を有するものを採用したが、例えば、図６に示す中芯部材２ａのように五角柱形状のものや、図７に示す中芯部材２ｂのように四角柱形状のものを採用してもよい。
また、図８に示すように、中芯部材２ｃが四角柱形状で、なおかつ側壁に乱流を発生させる手段である凸部２３を設けたものでもよい。中芯部材２ｃに凸部２３を設けることにより、流路１５の内部を流通する熱媒体の流れが層流状態でなく乱流状態になり、熱媒体と流路部材との間で熱エネルギーがより移動し易くなる。
上記実施の形態では示していないが、補強体１１、１２とは別に流路部材１の外周面や内周面に、周りの空気や熱媒体が流れやすいようにする手段や表面積をより大きくする手段を設けて、外周面や内周面における熱交換が効率よく行われるようにすることもできる。【００９１】
図９は本発明に係る空気調和装置の第１実施形態を設置した状態を示し、（ａ）は正面図、（ｂ）はＡ−Ａ拡大断面図である。【００９２】
空気調和装置６は、所要間隔で設けられた支柱部材６０、６０ａを有している。支柱部材６０、６０ａの上下端部には、床部６９と天井部６８に固定するための固定具６１が設けられている。支柱部材６０、６０ａの内部には、床部６９から導入される配管６２が収容されている。配管６２は、各熱交換器Ｈに温水または冷水を供給し循環させることができる。【００９３】
支柱部材６０と支柱部材６０ａの間には、熱交換器Ｈと蓄熱体６４が縦方向へ所要の間隔をおいて交互に架設されている。熱交換器Ｈと蓄熱体６４は水平方向に向けられ、かつ互いに平行になるように配されている。各熱交換器Ｈは、前記配管６２と接続されており、配管６２を通って温水または冷水が供給されることによって、放熱または吸熱を行うことができる。【００９４】
なお、使用される各熱交換器Ｈは、断熱性を有する中芯部材２を使用したものでもよいし、蓄熱性を有する中芯部材２を使用したものでもよい。これについては、後述する空気調和装置７、８についても同様である。【００９５】
蓄熱体６４は配管６２と接続されておらず、蓄熱体６４は隣接する熱交換器Ｈと輻射または対流によって熱交換ができる間隔をもって配されている。符号６３は、熱交換器Ｈと蓄熱体６４の表面に生じる結露水（凝縮水）を受ける樋であり、その一端側には樋６３に溜まった水を排出する排水管６３０が設けられている。なお、蓄熱体６４を使用せず熱交換器Ｈだけを使用して空気調和機６を構成してもよい。【００９６】
図１０は本発明に係る空気調和装置の第２実施形態を設置した状態を示し、（ａ）は正面図、（ｂ）はＢ−Ｂ拡大断面図である。【００９７】
空気調和装置７は、所要間隔で設けられた支柱部材７０、７０ａを有している。支柱部材７０、７０ａの上下端部には、床部７９と天井部７８に固定するための固定具７１が設けられている。支柱部材７０、７０ａの間には、下部連結部材７２と上部連結部材７３が設けられている。下部連結部材７２の内部には、側壁部７７から導入される配管７４が収容されている。配管７４は上部連結部材７３の上部にも配され、各熱交換器Ｈに温水または冷水を供給し循環させることができる。【００９８】
下部連結部材７２と上部連結部材７３の間には、所要数の熱交換器Ｈが横方向へ所要の間隔をおいて配されている。各熱交換器Ｈは鉛直方向に向けられ、かつ互いに平行になるように配されている。各熱交換器Ｈは、前記配管７４と接続されており、配管７４を通って温水または冷水が供給されることによって、放熱または吸熱を行うことができる。【００９９】
図１１は本発明に係る空気調和装置の第３実施形態を設置した状態を示し、（ａ）は正面図、（ｂ）はＣ−Ｃ拡大断面図である。【０１００】
空気調和装置８は、床部８９に載置される基台８０を有している。基台８０の上部には円形の下部連結盤８１が設けられ、その上方には支柱部材８５でつながれた円形の上部連結盤８２が設けられている。下部連結盤８１と上部連結盤８２の間には、所要数の熱交換器Ｈが各盤の形状に沿って円形を描くように所要の間隔をおいて配されている。各熱交換器Ｈは鉛直方向に向けられ、かつ互いに平行になるように配されている。【０１０１】
基台８０の内部には、床部８９から導入される配管８３が収容されている。配管８３は上部連結盤８２の上部にも配され、各熱交換器Ｈに温水または冷水を供給し循環させることができる。各熱交換器Ｈは、前記配管８３と接続されており、配管８３を通って温水または冷水が供給されることによって、放熱または吸熱を行うことができる。【０１０２】
前記空気調和装置６、空気調和装置７及び空気調和装置８は、いずれも熱交換器Ｈに温水または冷水を供給し循環させることによって、設置した室内の冷暖房を含む空気調和を行うことができる。【０１０３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【産業上の利用可能性】
【０１０４】
（ａ）本発明は、流路部材の内部に中芯部材が設けられているため、熱媒体は流路部材の中心部分を通ることなく、内周面に接している流路を通り、流路部材の壁部と熱交換を行うことができる。つまり、熱媒体を、直接には熱交換を行うことができない流路部材の中心部分には流さず、熱交換を直接的に行うことができる内周面に接する部分に流すことにより、中芯部材を設けない場合と比較して、熱媒体の単位流量当たりの熱交換面積が大きくなるので、効率的な熱交換が可能である。したがって、熱交換部である流路部材表面の温度の立ち上がりが速く、利便性にすぐれている。【０１０５】
（ｂ）中芯部材は多角柱形状を有しており、中芯部材の各角部が流路部材の内面に当接することによって流路部材内部に周方向へ複数の流路が形成されているものは、中芯部材を流路部材に収容するだけで流路を形成することができる簡単な構造となっており、しかも多角形の角数を変えるだけで流路の数を簡単に調節することができる。【０１０６】
（ｃ）流路部材の端部に、流通経路から流入する熱媒体を分配して各流路に送る手段または各流路を通った熱媒体を合流させて流通経路へ送る手段が設けられているものは、流路が区画されて複数設けられる場合、各流路の流量を均等化することができ、熱交換部に機能的な偏りが生じることを防止できる。【０１０７】
（ｄ）中芯部材が断熱性を有するものは、流路を流通する熱媒体と中芯部材との間で熱交換が行われず、熱交換はほとんどが熱媒体と流路部材の間で行われるので、熱交換効率がより向上する。【０１０８】
（ｅ）中芯部材が蓄熱性を有するものは、熱媒体が流路に流通することにより中芯部材が加熱され、中芯部材に熱媒体の温度に対応した所要の熱量を蓄熱することができる。中芯部材が蓄熱されていることによって、中芯部材に接して流路を流通している熱媒体が冷えにくくなり、流路部材から安定した効率のよい放熱が行われる。また、間欠運転を行う際には、熱媒体の供給が停止したときにも中芯部材に蓄熱されていた熱が供給され放熱に利用されるので、熱交換器からの放熱量が安定し、温度変動の少ない室温の制御を行うことができる。【０１０９】
（ｆ）流路内を流通する熱媒体を乱流状態にする手段が設けられているものは、熱媒体の内部での温度のムラが生じにくくなり、熱媒体と流路部材との間で熱エネルギーがより移動し易くなる。これにより、熱交換効率がより向上する。【０１１０】
（ｇ）流路部材の外面に、熱伝導性、放熱性または吸熱性を有する被覆層が設けられているものは、熱交換効率を向上させることができる。すなわち、熱伝導性、放熱性または吸熱性にすぐれたものは、遠赤外線を含む赤外線の放射性（放熱性）にすぐれており、また、遠赤外線を含む赤外線の吸収性（吸熱性）にすぐれている。これにより、被覆層表面での熱交換が盛んに行われ、熱交換効率が向上することになる。【０１１１】
（ｈ）流路部材の外面に、親水性、吸湿性、放湿性を有する被覆層が設けられているものは、流路部材外部の湿度を好適に調節することができる。すなわち、熱交換器において流路部材外部の空気は流路部材との温度差によって対流が促進され、空気が速やかに入れ替わるので、空気中の湿度を調節する効果によりすぐれている。【０１１２】
（ｉ）流路部材の外面に、吸着分解性及び抗菌性を有する被覆層が設けられているものは、流路部材外部のＶＯＣや臭気を改善し、空気を清浄化することができる。すなわち、熱交換器において流路部材外部の空気は流路部材との温度差によって対流が促進され、空気が速やかに入れ替わるので、空気中のＶＯＣや臭気を改善して空気を清浄化する効果によりすぐれている。【０１１３】
（ｊ）流路部材の外面に、マイナスイオンを発生する被覆層が設けられているものは、流路部材外部に環境的な癒しの空間を得るために有用である。すなわち、熱交換器において流路部材外部の空気は流路部材との温度差によって対流が促進され、空気が速やかに入れ替わるので、被覆層で発生したマイナスイオンを空気中に効率よく拡散させることができる機能性にすぐれている。
【図１】
2009130764.tif 000005
【図２】
2009130764.tif 000006
【図３】
2009130764.tif 000007
【図４】
2009130764.tif 000008
【図５】
2009130764.tif 000009
【図６】
2009130764.tif 000010
【図７】
2009130764.tif 000011
【図８】
2009130764.tif 000012
【図９】
2009130764.tif 000013
【図１０】
2009130764.tif 000014
【図１１】
2009130764.tif 000015
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
流路部材(1)の内部に熱媒体を流通させ、熱媒体との熱交換によって流路部材(1)の外部の加熱または冷却を行う熱交換器を用いた空気調和装置であって、
流路部材(1)の内部に中芯部材(2)が収容されており、該中芯部材(2)の表面(24)と前記流路部材(1)の内面(14)によって、熱媒体を流通させる流路(15)が形成されている熱交換器を鉛直方向または水平方向あるいはそれ以外の方向に並設し、前記熱交換器に熱媒体を循環させるようにした、
空気調和装置。
【請求項２】
中芯部材(2)は多角柱形状を有しており、該中芯部材(2)の各角部(20)が流路部材(1)の内面(14)に当接することによって該流路部材(1)内部に周方向へ複数の流路(15)が形成されている請求項１記載の熱交換器を鉛直方向または水平方向あるいはそれ以外の方向に並設し、前記熱交換器に熱媒体を循環させるようにした、
空気調和装置。
【請求項３】
中芯部材(2)は多角柱形状を有しており、該中芯部材(2)の各角部(20)が流路部材(1)の内面(14)に当接することによって該流路部材(1)内部に周方向へ複数の流路(15)が形成されており、
前記流路部材(1)の端部には、流通経路から流入する熱媒体を分配して各流路(15)に送る手段または各流路(15)を通った熱媒体を合流させて流通経路へ送る手段(3,35,36,37)が設けられている請求項１記載の熱交換器を鉛直方向または水平方向あるいはそれ以外の方向に並設し、前記熱交換器に熱媒体を循環させるようにした、
空気調和装置。
【請求項４】
中芯部材(2)が断熱性を有する請求項１乃至３に記載したいずれかの熱交換器を鉛直方向または水平方向あるいはそれ以外の方向に並設し、前記熱交換器に熱媒体を循環させるようにした、
空気調和装置。
【請求項５】
中芯部材(2)が蓄熱性を有する請求項１乃至３に記載したいずれかの熱交換器を鉛直方向または水平方向あるいはそれ以外の方向に並設し、前記熱交換器に熱媒体を循環させるようにした、
空気調和装置。
【請求項６】
流路(15)内を流通する熱媒体を乱流状態にする手段(23)が設けられている請求項１乃至５に記載したいずれかの熱交換器を鉛直方向または水平方向あるいはそれ以外の方向に並設し、前記熱交換器に熱媒体を循環させるようにした、
空気調和装置。
【請求項７】
流路部材(1)の外面に、熱伝導性、放熱性または吸熱性を有する被覆層(10)が設けられている請求項１乃至６に記載したいずれかの熱交換器を鉛直方向または水平方向あるいはそれ以外の方向に並設し、前記熱交換器に熱媒体を循環させるようにした、
空気調和装置。
【請求項８】
流路部材(1)の外面に、親水性、吸湿性または放湿性を有する被覆層(10)が設けられている請求項１乃至７に記載したいずれかの熱交換器を鉛直方向または水平方向あるいはそれ以外の方向に並設し、前記熱交換器に熱媒体を循環させるようにした、
空気調和装置。
【請求項９】
流路部材(1)の外面に、吸着分解性及び抗菌性を有する被覆層(10)が設けられている請求項１乃至８に記載したいずれかの熱交換器を鉛直方向または水平方向あるいはそれ以外の方向に並設し、前記熱交換器に熱媒体を循環させるようにした、
空気調和装置。
【請求項１０】
流路部材(1)の外面に、マイナスイオンを発生する被覆層(10)が設けられている請求項１乃至９に記載したいずれかの熱交換器を鉛直方向または水平方向あるいはそれ以外の方向に並設し、前記熱交換器に熱媒体を循環させるようにした、
空気調和装置。
【手続補正２】
【補正対象書類名】明細書
【補正対象項目名】全文
【補正方法】変更
【補正の内容】
【発明の詳細な説明】
【技術分野】
【０００１】
本発明は空気調和装置に関する。更に詳しくは、流路部材の内部に熱媒体を流通させ、熱媒体との熱交換によって流路部材の外部の加熱または冷却を行う熱交換器を使用した空気調和装置において、熱交換部である流路部材表面の温度の立ち上がりがより速く、熱交換効率にすぐれており、さらに吸・放熱性、吸・放湿性、吸着分解性及び抗菌性あるいはマイナスイオンの発生など各種機能性を付与したものに関する。
【背景技術】
【０００２】
従来、空気調和機や床暖房装置等に用いられる熱交換器のひとつとして連続した管状の流路管がある。一般的な流路管は円管状であり、内部に温水や冷水あるいは加熱蒸気（スチーム）が通されて表面が加熱または冷却され、外部との間で熱交換を行うことにより暖房または冷房を行うものである（例えば、特許文献１参照）。
このような流路管は、例えば、その構造上、配管の方向に制限があるヒートパイプとは相違して配管の方向に制限がなく自由な方向に施工することができ、構造もシンプルで安価なので広く利用されている。
【０００３】
【特許文献１】特開２００６−２９４１６
【発明の開示】
【発明が解決しようとする課題】
【０００４】
しかしながら、上記したような流路管には、次のような課題があった。
すなわち、流路管の内部を流れる熱媒体のうち、流路管と熱交換を行うのは、流路管の内面に接するか、ごく近傍を流れる熱媒体であり、管の中心部またはその近傍を流れる熱媒体は、内面とは離れているため、直接的にはほとんど熱交換を行っていない。
したがって、流路管に供給される熱エネルギーの量を基準とすれば、流路管表面で熱交換されている熱エネルギーは多くはなく、例えば流路管表面の温度の立ち上がりが遅く、熱交換効率がよいとはいえない。
【０００５】
そこで本発明の目的は、流路部材の内部に熱媒体を流通させ、熱媒体との熱交換によって流路部材の外部の加熱または冷却を行う熱交換器を使用した空気調和装置において、熱交換部である流路部材表面の温度の立ち上がりがより速く、熱交換効率にすぐれたものを提供することである。
また、本発明の他の目的は、上記目的に加え、さらに吸・放熱性、吸・放湿性、吸着分解性及び抗菌性あるいはマイナスイオンの発生など各種機能性を付与したものを提供することである。
【課題を解決するための手段】
【０００６】
上記目的を達成するために本発明が講じた手段は次のとおりである。
本発明は、流路部材の内部に熱媒体を流通させ、熱媒体との熱交換によって流路部材の外部の加熱または冷却を行う熱交換器であって、流路部材の内部には中芯部材が設けられており、中芯部材の表面と流路部材の内面によって、熱媒体を流通させることができる流路が形成されている熱交換器を鉛直方向または水平方向あるいはそれ以外の方向に並設し、前記熱交換器に熱媒体を循環させるようにした、空気調和装置である。
【０００７】
本発明に係る空気調和装置は、熱交換器の中芯部材が多角柱形状を有しており、該中芯部材の各角部が流路部材の内面に当接することによって該流路部材内部に周方向へ複数の流路が形成された構造とすることもできる。
【０００８】
本発明に係る空気調和装置は、熱交換器の中芯部材が多角柱形状を有しており、該中芯部材の各角部が流路部材の内面に当接することによって該流路部材内部に周方向へ複数の流路が形成されており、前記流路部材の端部には、流通経路から流入する熱媒体を分配して各流路に送る手段または各流路を通った熱媒体を合流させて流通経路へ送る手段を設けられた構造とすることもできる。
【０００９】
本発明に係る空気調和装置は、熱交換器の中芯部材に断熱性を持たせることもできる。
【００１０】
本発明に係る空気調和装置は、熱交換器の中芯部材に蓄熱性を持たせることもできる。
【００１１】
本発明に係る空気調和装置は、熱交換器の流路内を流通する熱媒体を乱流状態にする手段を設けることもできる。
【００１２】
本発明に係る空気調和装置は、熱交換器の流路部材の外面に、熱伝導性、放熱性または吸熱性を有する被覆層を設けることもできる。
【００１３】
本発明に係る空気調和装置は、熱交換器の流路部材の外面に、親水性、吸湿性、放湿性を有する被覆層を設けることもできる。
【００１４】
本発明に係る空気調和装置は、熱交換器の流路部材の外面に、吸着分解性及び抗菌性を有する被覆層を設けることもできる。
【００１５】
本発明に係る空気調和装置は、熱交換器の流路部材の外面に、マイナスイオンを発生する被覆層を設けることもできる。
【００１６】
熱交換器を形成する流路部材は、熱伝導性、放熱性または吸熱性の良好な材料、例えば金属（ステンレス、アルミニウムなど）、合成樹脂（合成繊維を含む）、カーボンファイバーなどが好適に使用される。流路部材と中芯部材は、別体に形成したものを組み合わせてもよいし、各種成形方法によって一体に形成することもできる。
【００１７】
中芯部材を流路部材に収容する構造では、流路部材としては各種管体が採用されるが、収容される中芯部材の形状との組み合わせによって流路を形成することができるものであれば特に形状を限定するものではなく、一般的な円管の他、角管（三角管、四角管、五角管、六角管、八角管など）を採用することもできる。
【００１８】
中芯部材に断熱性を持たせる（付与する）手段としては、例えば中芯部材そのものを断熱性の良好な材料、例えば発泡ポリエチレン、発泡ポリプロピレン、硬質ウレタンフォーム、塩化ビニルフォーム、ゴム（合成ゴムを含む）、合成樹脂、プラスチック等で形成する方法があるが、これに限定するものではない。
【００１９】
中芯部材に蓄熱性を持たせる（付与する）手段としては、例えば中芯部材そのものを蓄熱性を有する材料、または比熱が大きい材料で形成する方法があるが、これに限定するものではない。
例えば、中芯部材を各種蓄熱性を有する材料または熱伝導性の良好な材料で中空体（または管体）を形成し、中空部にプロピレングリコール等の蓄熱性を有する材料、または比熱が大きい材料を充填した構造をあげることができる。さらには、中芯部材を、連続気泡を有するウレタンフォーム等の吸液性を有する材料で形成し、その吸液性材料に流通経路内に流通させる液状の熱媒体を吸液させた構造等をあげることができる。
【００２０】
中芯部材は、流路部材と協働して流路を形成することができれば、その形状は特に限定するものではない。例えば、円柱形状、三角柱形状、四角柱形状、五角柱形状、六角柱形状、八角柱形状などである。また、中芯部材は、中実体でもよいし、内部に空間部があるもの、例えば管体であってもよい。
【００２１】
流路部材表面には被覆層を設けることができる。被覆層としては、例えば、塗料やコーティング剤などが採用できる。流路部材がアルミニウム製の場合は、表面に染料を吸着させて着色（例えば、黒色、青色、緑色、赤色、黄色、灰色、白色、金色、銀色など）したアルミニウムの陽極酸化処理（アルマイト処理）などが好適に用いられる。
【００２２】
被覆層としては、熱交換効率（熱交換性）を向上させるためには、熱伝導性、放熱性や吸熱性にすぐれたものを設けるのが好ましい。流路部材外部の湿度を好適に調節するためには、親水性、吸湿性、放湿性にすぐれたものを設けるのが好ましい。また、流路部材外部のＶＯＣ（揮発性有機化合物）や臭気などを改善し、空気を清浄化するためには、吸着分解性及び抗菌性にすぐれたものを設けるのが好ましい。さらに、流路部材外部に環境的な癒しの空間を得るためには、マイナスイオンを発生する能力にすぐれたものを設けるのが好ましい。
【００２３】
親水性、吸湿性、放湿性あるいは吸着分解性及び抗菌性を有する被覆層としては、例えば活性炭などの炭、活性アルミナ、シリカゲル、二酸化チタン、ポリアクリル酸ナトリウム架橋体、酸化チタン、イオン交換樹脂、ベントナイト、珪藻土などを配合したものがあげられるが、これらに限定はされない。
マイナスイオンを発生する被覆層としては、例えば活性炭などの炭、セラミックス、トルマリンなどを配合したものがあげられるが、これらに限定はされない。
【００２４】
流路部材の流路に流通させる熱媒体としては、熱エネルギーを十分に蓄えることができれば、その種類を特定するものではなく、液体でも良いし、気体でも良い。
液体としては、例えば、水（温水、冷水などを含む）、不凍液（例えばプロピレングリコールの３７％溶液に防錆剤を配合したもの：使用温度域−２０℃〜７０℃）、油などが好適に使用される。また、気体としては、例えば冷房、暖房ができる冷媒ガス（加温の場合：二酸化炭素、冷却の場合：アンモニア、加温・冷却の場合：ＨＦＣ(Hydrofluorocarbons)系などの新冷媒）が好適に使用される。
【００２５】
なお、熱媒体に熱エネルギーを与える手段は、特に限定するものではない。例えば、太陽熱、地熱、風力、水力、電力などを利用した加熱装置あるいはヒートポンプ、空気熱源などが好適に使用される。また、排熱などの二次的な産物は、廃棄せず利用するようにしてもよい。これによれば、例えば蓄熱部に熱容量の高い材料または蓄熱性のよい材料を使用することにより、昼間に溜めた熱を夜間に使用したり、夜間に溜めた熱を昼間に使用したりすることができる。後者の場合では深夜電力を使用したりすることで、エネルギーコストを安価にすることもできる。
【００２６】
本発明に係る空気調和装置は、例えば、住宅、店舗、事務所、工場、体育館、劇場、集会場、図書館、スタジオ、病院、老人ホーム、旅館、ホテル、イベントホール、倉庫（保冷庫を含む）、精密室、クリーンルームや無菌室などの建築物の空気調和機や輻射冷暖房装置として、または鶏舎、豚舎、牛舎、ビニールハウスなどの農業施設の空気調和機や輻射冷暖房装置として、またはプール、水族館、養殖場、温泉施設などの水温調節装置として、さらには調湿装置、乾燥装置、遠赤外線加温装置、融雪装置、熱回収装置として利用するなど、様々な用途で好適に使用される。
【００２７】
（作  用）
本発明に係る空気調和装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００２８】
空気調和装置の熱交換器(H)に熱媒体を供給する。熱媒体は、流路部材(1)の内部に中芯部材(2)が設けられているため、流路部材(1)の中心部分を通ることなく、内周面(14)に接している流路(15)を通り、流路部材(2)の壁部と熱交換を行う。
つまり、熱媒体を、直接には熱交換を行うことができない流路部材(1)の中心部分には流さず、熱交換を直接的に行うことができる内周面(14)に接する部分に流すことにより、中芯部材(2)を設けない場合と比較して熱媒体の単位流量当たりの熱交換面積が大きくなるので、効率的な熱交換が可能である。
【発明の効果】
【００２９】
（ａ）本発明は、流路部材の内部に中芯部材が設けられているため、熱媒体は流路部材の中心部分を通ることなく、内周面に接している流路を通り、流路部材の壁部と熱交換を行うことができる。つまり、熱媒体を、直接には熱交換を行うことができない流路部材の中心部分には流さず、熱交換を直接的に行うことができる内周面に接する部分に流すことにより、中芯部材を設けない場合と比較して、熱媒体の単位流量当たりの熱交換面積が大きくなるので、効率的な熱交換が可能である。したがって、熱交換部である流路部材表面の温度の立ち上がりが速く、利便性にすぐれている。
【００３０】
（ｂ）中芯部材は多角柱形状を有しており、中芯部材の各角部が流路部材の内面に当接することによって流路部材内部に周方向へ複数の流路が形成されているものは、中芯部材を流路部材に収容するだけで流路を形成することができる簡単な構造となっており、しかも多角形の角数を変えるだけで流路の数を簡単に調節することができる。
【００３１】
（ｃ）流路部材の端部に、流通経路から流入する熱媒体を分配して各流路に送る手段または各流路を通った熱媒体を合流させて流通経路へ送る手段が設けられているものは、流路が区画されて複数設けられる場合、各流路の流量を均等化することができ、熱交換部に機能的な偏りが生じることを防止できる。
【００３２】
（ｄ）中芯部材が断熱性を有するものは、流路を流通する熱媒体と中芯部材との間で熱交換が行われず、熱交換はほとんどが熱媒体と流路部材の間で行われるので、熱交換効率がより向上する。
【００３３】
（ｅ）中芯部材が蓄熱性を有するものは、熱媒体が流路に流通することにより中芯部材が加熱され、中芯部材に熱媒体の温度に対応した所要の熱量を蓄熱することができる。中芯部材が蓄熱されていることによって、中芯部材に接して流路を流通している熱媒体が冷えにくくなり、流路部材から安定した効率のよい放熱が行われる。また、間欠運転を行う際には、熱媒体の供給が停止したときにも中芯部材に蓄熱されていた熱が供給され放熱に利用されるので、熱交換器からの放熱量が安定し、温度変動の少ない室温の制御を行うことができる。
【００３４】
（ｆ）流路内を流通する熱媒体を乱流状態にする手段が設けられているものは、熱媒体の内部での温度のムラが生じにくくなり、熱媒体と流路部材との間で熱エネルギーがより移動し易くなる。これにより、熱交換効率がより向上する。
【００３５】
（ｇ）流路部材の外面に、熱伝導性、放熱性または吸熱性を有する被覆層が設けられているものは、熱交換効率を向上させることができる。すなわち、熱伝導性、放熱性または吸熱性にすぐれたものは、遠赤外線を含む赤外線の放射性（放熱性）にすぐれており、また、遠赤外線を含む赤外線の吸収性（吸熱性）にすぐれている。これにより、被覆層表面での熱交換が盛んに行われ、熱交換効率が向上することになる。
【００３６】
（ｈ）流路部材の外面に、親水性、吸湿性、放湿性を有する被覆層が設けられているものは、流路部材外部の湿度を好適に調節することができる。すなわち、熱交換器において流路部材外部の空気は流路部材との温度差によって対流が促進され、空気が速やかに入れ替わるので、空気中の湿度を調節する効果によりすぐれている。
【００３７】
（ｉ）流路部材の外面に、吸着分解性及び抗菌性を有する被覆層が設けられているものは、流路部材外部のＶＯＣや臭気を改善し、空気を清浄化することができる。すなわち、熱交換器において流路部材外部の空気は流路部材との温度差によって対流が促進され、空気が速やかに入れ替わるので、空気中のＶＯＣや臭気を改善して空気を清浄化する効果によりすぐれている。
【００３８】
（ｊ）流路部材の外面に、マイナスイオンを発生する被覆層が設けられているものは、流路部材外部に環境的な癒しの空間を得るために有用である。すなわち、熱交換器において流路部材外部の空気は流路部材との温度差によって対流が促進され、空気が速やかに入れ替わるので、被覆層で発生したマイナスイオンを空気中に効率よく拡散させることができる機能性にすぐれている。
【図面の簡単な説明】
【００３９】
【図１】本発明に係る熱交換器の一実施の形態を示す斜視図。
【図２】図１に示す熱交換器の両端部側の構造を示す拡大断面図。
【図３】図１に示す熱交換器の側面視拡大説明図。
【図４】キャップと流路部材の連結部の構造を示す分解斜視説明図。
【図５】流路部材と中芯部材を示す斜視説明図。
【図６】流路部材と中芯部材の他の例を示す斜視説明図。
【図７】流路部材と中芯部材の他の例を示す斜視説明図。
【図８】流路部材と中芯部材の他の例を示す斜視説明図。
【図９】本発明に係る空気調和装置の第１実施形態を設置した状態を示し、（ａ）は正面図、（ｂ）はＡ−Ａ拡大断面図。
【図１０】本発明に係る空気調和装置の第２実施形態を設置した状態を示し、（ａ）は正面図、（ｂ）はＢ−Ｂ拡大断面図。
【図１１】本発明に係る空気調和装置の第３実施形態を設置した状態を示し、（ａ）は正面図、（ｂ）はＣ−Ｃ拡大断面図。
【符号の説明】
【００４０】
Ｈ  熱交換器、  １  流路部材、  １０  被覆層、  １１，１２  補強体、
１３  貫通孔、  １４  内周面、  １５  流路、  
２  中芯部材、  ２０  角部、  ２１  嵌合凹部、  ２２  流通溝、
２３  凸部、  ２ａ  中芯部材、  ２ｂ  中芯部材、  ２ｃ  中芯部材、
３  キャップ、  ３０  止端部、  ３１  嵌合部、  ３２  シール部材、
３３  凹溝、  ３４  ネジ穴、  ３５  流通路、  ３５０  ネジ部、
３６  連通溝、  ３７  分配路、  ３８  嵌合凸部、  ３９  ネジ孔、
４  固定ネジ、  ５  接続部材、  ６  空気調和装置、
６０，６０ａ  支柱部材、  ６１  固定具、  ６２  配管、  ６３  樋、
６３０  排水管、  ６４  蓄熱体、  ６８  天井部、  ６９  床部、
７  空気調和装置、  ７０，７０ａ  支柱部材、  ７１  固定具、
７２  下部連結部材、  ７３  上部連結部材、  ７４  配管、  ７７  側壁部、
７８  天井部、  ７９  床部、
８  空気調和装置、  ８０  基台、  ８１  下部連結盤、  ８２  上部連結盤、
８３  配管、  ８５  支柱部材、  ８９  床部
【発明を実施するための最良の形態】
【００４１】
本発明の実施の形態を図面に基づき更に詳細に説明する。
図１は本発明に係る熱交換器の一実施の形態を示す斜視図、
図２は図１に示す熱交換器の両端部側の構造を示す拡大断面図、
図３は図１に示す熱交換器の側面視拡大説明図、
図４はキャップと流路部材の連結部の構造を示す分解斜視説明図、
図５は流路部材と中芯部材を示す斜視説明図である。
【００４２】
熱交換器Ｈは、所要長さを有する円管状の流路部材１の内部に設けた複数の流路１５（後述）に熱媒体を流通させ、この熱媒体が有している熱エネルギーを流路部材１の周壁部を介して外部と熱交換することにより、外部を加熱または冷却することができるものである。
【００４３】
（流路部材１）
流路部材１は、所要径を有する円管形状であり、熱伝導性にすぐれたアルミニウムで形成されている。流路部材１の内部には、断熱性を有する発泡ポリエチレンで形成された正六角棒（正六角柱）状の中芯部材２が収容されている。また、流路部材１の両端には、内部を密閉する合成樹脂製のキャップ３が着脱可能に固着されている。中芯部材２及びキャップ３については、後で詳述する。
【００４４】
流路部材１の外周面には、全面にアルミニウムの陽極酸化処理（アルマイト処理）による被覆層１０が設けてある。被覆層１０は、アルマイト処理時に表面に染料を吸着させて着色されている。被覆層１０を設けることにより、流路部材１の熱伝導性、放熱性または吸熱性をさらに高めることができる。
【００４５】
また、流路部材１の外周面には、帯板状の補強体１１、１２が立てた状態で固定されている。補強体１１、１２は、流路部材１の補強のために長さ方向の略全長にわたり設けられており、所要間隔をおいて平行に並設されている。なお、補強体１１、１２は、流路部材１と同じアルミニウムで形成されている。
【００４６】
流路部材１の両端側には、キャップ３を固定する固定ネジ４を通すための貫通孔１３が形成されている。貫通孔１３は、後述するキャップ３のネジ穴３４と対応するように周方向に等間隔で四箇所に形成されている。
【００４７】
流路部材１の内周面１４には、流路部材１に収容される中芯部材２を軸周方向に回らないように摩擦力を高めるための位置決め溝が、長さ方向の全長にわたり、かつ軸周方向へ多数設けられている。位置決め溝は深さはごく僅かであり、本数も多いので、図示及び符号を省略している。なお、位置決め溝は設けなくてもよいが、設けることにより位置決めが容易にできる利点がある。
【００４８】
（中芯部材２）
中芯部材２は、発泡ポリエチレンで正六角柱形状に形成されている。中芯部材２は、流路部材１の全長よりやや短い（図２参照：図５では流路部材１の端部を切り欠いて表している）中実体であり、流路部材１の内部に収容することにより、各角部２０が全長にわたり流路部材１の内周面１４と当たるように形成されている。
【００４９】
中芯部材２の両端面には、後述するキャップ３の嵌合凸部３８と嵌め合う嵌合凹部２１が形成されている。嵌合凹部２１は、側面視において中芯部材２の外形状と略同じ正六角形状に形成されているが、この形状は中芯部材２が軸周方向へ回らないようにすることができれば、上記嵌合凸部３８の形状とともに限定するものではない。
【００５０】
中芯部材２の各角部２０には、角部２０を所要の幅で軸周方向へ切欠するようにして流通溝２２が形成されている。流通溝２２は、中芯部材２の長手方向において同じ位置に六箇所設けられ、さらに長手方向に複数箇所設けられている。各流通溝２２は、各流路１５を連通させることで、乱流を促進しながら各流路１５における圧力を平均化して円滑な流通を可能にするものである。なお、流通溝２２が中芯部材２の軸周方向において設けられる数、長手方向に設けられる数、位置及び総数共に特に限定されるものではない。
【００５１】
なお、使用される発泡ポリエチレンは、独立気泡体であり耐薬品性にもすぐれている。したがって、中芯部材２には熱媒体が浸潤せず、浸潤によって断熱性能が低下することを防止することができる。また、化学的に侵されて変質や変形あるいは溶解を起こすことも防止または軽減することができる。
【００５２】
中芯部材２は、各角部２０を内周面１４に当てた状態で流路部材１の内部に収容されている。このようにして、中芯部材２を流路部材１の内部に収容することにより、流路部材１の内周面１４と中芯部材２の外面によって、熱媒体が流通する流路１５が形成されている。中芯部材２は正六角柱形状を有しているので、流路１５は互いに区画された状態で周方向の六箇所に形成されている。各流路１５は熱媒体を流路部材１の内面１４の本質的に全面に接するように流通させることができる。
【００５３】
（キャップ３）
キャップ３は、同じ構造のものが流路部材１の両端部（流入側と流出側）に固着されている。いずれのキャップ３も、後述する取付方法、構造によって同様に固着される。
キャップ３は、熱媒体が流通する流通経路（熱交換器Ｈの外部）から流入する熱媒体を分配して各流路１５に送る手段及び各流路１５を通った熱媒体を合流させて流通経路へ送る手段を構成する。
【００５４】
キャップ３は、流路部材１の外径と同じ外径を有する止端部３０と、流路部材１の内径よりわずかに径小で内嵌めされる嵌合部３１を一体に有している。止端部３０は、嵌合部３１を内嵌めしてキャップ３を流路部材１端部に装着したときのストッパーとなるものである。
【００５５】
嵌合部３１の外周面には、凹溝３３が嵌合部３１の長手方向の二箇所に所要間隔で全周にわたり形成されている。凹溝３３には、それぞれシール部材３２が嵌め込まれ、流路部材１の内周面１４と嵌合部３１の外周面との間を密閉状態にすることができる。シール部材３２としては、例えばゴム製のＯリングが好適に使用されるが、これに限定するものではない。
【００５６】
嵌合部３１の外周面のうち止端部３０寄りには、キャップ３を流路部材１に固定する固定ネジ４をねじ込むためのネジ穴３４が形成されている。ネジ穴３４は、流路部材１に設けられている貫通孔１３と対応するように周方向に等間隔で四箇所に形成されている。
【００５７】
キャップ３には、止端部３０の外端面の中心部から内部へ向けて流通路３５が中心軸線方向に設けられている。流通路３５の先端部（奥端部）は、キャップ３の長手方向の約２／３の深さに位置している。流通路３５にはネジ部３５０が設けられており、ネジ部３５０には接続部材５が螺着されている。接続部材５の他端側は、熱媒体の流通経路となるホースや流路管など公知のものに接続される。
なお、符号３９は、熱交換器Ｈを設置箇所に支持固定するためにネジ（図示省略）が螺着されるネジ孔である。ネジ孔３９は、軸周方向の四箇所に等間隔で設けられている。
【００５８】
また、嵌合部３１の外周面のうちシール部材３２より内方側には、周方向に等間隔で六箇所に連通溝３６が設けられている。各連通溝３６は、嵌合部３１の内端面まで設けられ、流路部材１に中芯部材２が収容されることにより形成される各流路１５に対応して連通するように、キャップ３の長手方向に互いに平行になるように形成されている。
各連通溝３６は、上記流通路３５と分配路３７によって連通している。分配路３７は、流通路３５の先端部から各連通溝３６へ向けて放射方向に六箇所に設けられている。
【００５９】
なお、上記連通溝３６及び分配路３７は、それぞれ流路１５の数に合わせて設けられるもので、流路１５が三箇所であれば三本、四箇所であれば四本、五箇所であれば五本、八箇所であれば八本設けられる。このように、連通溝３６及び分配路３７などの分配流路は、複数の流路１５の数に対応して流路１５に通じるように設けられる。また、分配部の構造は、連通溝３６を設けずに分配路３７を直接各流路１５まで延長する構造でもよい。
キャップ３の嵌合部３１側の内端面には、中芯部材２の嵌合凹部２１にほぼ隙間のない状態で嵌合する嵌合凸部３８が形成されている。嵌合凸部３８は、正面から見て正六角形状に形成されている。
【００６０】
キャップ３は、嵌合凸部３８が中芯部材２の端面の嵌合凹部２１と嵌合するように嵌合部３１を流路部材１に内嵌めし、流路部材１の貫通孔１３を通してネジ穴３４に固定ネジ４をねじ込むことにより取り付けられる。キャップ３の嵌合凸部３８を中芯部材２の嵌合凹部２１に嵌合させることにより、中芯部材２は流路部材１の内部で軸周方向に回ることはなく、各流路１５はキャップ３の連通溝３６とずれない。これにより、例えば中芯部材２の各角部が各連通溝３６と同じ位置になって熱媒体の流通に支障が出ることを防止できる。
【００６１】
本実施の形態においては、流路部材１の外周面部にアルミニウムの陽極酸化処理によって形成した被覆層を設けたが、流路部材が十分な熱伝導性、放熱性または吸熱性を有していれば、必ずしも設けなくてよい。また、設ける場合でも、上記したものに限定するものではなく、付加したい機能性に応じて被覆層の種類を変えることができる。
【００６２】
例えば、熱交換器Ｈの熱交換効率を向上させるためには、熱伝導性、放熱性や吸熱性にすぐれた被覆層を設ければよい。また、熱交換器Ｈの流路部材外部の湿度を好適に調節するためには、親水性、吸湿性、放湿性にすぐれた被覆層を設ければよい。また、熱交換器Ｈの流路部材外部のＶＯＣや臭気を改善し、空気を清浄化するためには、吸着分解性及び抗菌性にすぐれた被覆層を設ければよく、さらに、好ましくは環境的な癒しの空間を得ることができるマイナスイオンを発生する能力にすぐれた被覆層を設けることもできる。
【００６３】
（作  用）
図１ないし図５を参照して、本実施の形態に係る熱交換器Ｈの作用を説明する。
熱交換器Ｈは、流路１５に温かい熱媒体を流通させることにより、設置された施設などを加温する機能を発揮し、冷たい熱媒体を流通させることにより、設置された施設などを冷却する機能を発揮することができる。流通させる熱媒体の温度は、設置される場所や用途によって適宜設定されるものであり、特に限定されるものではない。
【００６４】
熱交換器Ｈは、例えば住宅やその他の施設などで空気中に設置されることにより、例えば流路部材１の表面が所要の長さで空間に露出している。
熱媒体は、流通経路に設けられている温度調節機によって所要の温度に加温または冷却され、ポンプで熱交換器Ｈへ送り出される。熱媒体は、接続部材５を通り、キャップ３の流通路３５（図２に示すように流通路３５のうち接続部材５が占めていない部分）に導入され、さらに分配路３７から連通溝３６を通り、各流路１５へ送られる。
【００６５】
なお、各分配路３７に、熱媒体の流通ができたりできなかったりする切り換え手段を付与することもできる。これによれば、各流路１５のうちいくつかを選択して熱媒体を流通させることもでき、例えば流路部材１のうち、設置の都合上、熱交換が行われない側の流路１５には熱媒体を流さないようにするなど、さらに無駄のない効率的な熱交換が可能になる。
【００６６】
各流路１５を通る熱媒体は、直接的には流路部材１と熱交換を行い、流路部材１の外面と接している外気または周囲の物質とは流路部材１を介して間接的に熱交換を行う。この熱交換は、伝導、輻射または対流による熱移動によって行われる。
つまり、熱媒体と熱交換された流路部材１の温度が外気や物質より高ければ、流路部材１と外気や物質との熱交換によって外気や物質の温度が上がり、熱媒体の温度は下がる。
また、逆に、熱媒体と熱交換された流路部材１の温度が外気や物質より低ければ、流路部材１と外気や物質との熱交換によって外気や物質の温度が下がり、熱媒体の温度は上がる。
【００６７】
上記熱交換が行われる際、熱媒体は上記のように分配されることによって各流路１５において流量や流速がほぼ均等になるように流れている。しかも、流路部材１の内部を流れる熱媒体は、中芯部材２が収容されている流路部材１の中心部分を流れることなく、流路部材１の内周面１４の各角部２０の接触部分を除くほぼ全面に接している各流路１５を流れる。つまり、熱媒体を、直接には熱交換を行うことができない流路部材１の中心部分には流さず、熱交換を直接的に行うことができる内周面１４に接するように流すことにより、効率的な熱交換が可能である。しかも、中芯部材２は断熱性にすぐれており、熱媒体と中芯部材２との間では熱交換がほとんど行われないので、より効率がよい。
【００６８】
すなわち、中芯部材２を設けない一般的な管状の熱交換器と本発明の熱交換器Ｈを比較したとき、熱媒体の流量を同じにした場合、つまり供給する熱量が同じである場合では、本発明の熱交換器Ｈの方がより短い時間で流路部材１の温度を所定の温度まで上昇または下降させることができる。いいかえれば、流路部材１の表面の温度の立ち上がりが速い。また、流路部材１の表面の温度の立ち上がり時間を基準にすれば、より少ない流量（より少ない熱量の供給）で同等の加熱ができるともいえる。
なお、流路部材１の外周面には熱伝導性、放熱性または吸熱性を高める被覆層１０が設けられているので、上記流路部材１と外気との熱交換は効率よく良好に行われる。これらの機能性については、後述する試験によって検証する。
【００６９】
また、中芯部材２には蓄熱性を持たせることもできる。ここでは、中芯部材２を連続気泡を有し吸液性を有するウレタンフォームで形成した場合で説明する。なお、この場合の中芯部材２の形状（構造）は、前記熱交換器Ｈと同様であるので、図示は省略する。
【００７０】
中芯部材２はウレタンフォーム製で吸液性を有しているので、各流路１５を流通している熱媒体は中芯部材２に浸潤する。中芯部材２に浸潤した熱媒体には、流路１５を流通している熱媒体から常に熱が供給されて加熱され、中芯部材２内部の熱媒体の温度は、外側を流通している熱媒体とほぼ同じ温度で維持される。これにより、中芯部材２には内部の熱媒体によって所要の熱量が蓄熱される。
【００７１】
中芯部材２に蓄熱されていることによって、中芯部材２に接して流路１５を流通している熱媒体が冷えにくくなり、流路部材１から安定した効率のよい放熱が行われる。また、例えば流路部材１への熱媒体の供給と供給停止を交互に繰り返して室温を制御する間欠運転を行う際には、熱媒体の供給が停止したときにも中芯部材２に蓄熱されていた熱が供給され放熱に利用されるので、熱交換器Ｈからの放熱量が安定し、温度変動の少ない室温の制御を行うことができる。
【００７２】
流路部材１の外周面に設けられている補強体１１、１２は、熱交換部の面積を拡げる機能も持っており、流路部材１と外気との熱交換を助けている。補強体１１、１２は、さらに数を増やすこともでき、例えばフィンのように流路部材１の全体に形成して熱交換効率をさらに高めることもできる。なお、補強体１１、１２や上記フィン状に配した補強体には、流路部材１と同様に熱伝導性、放熱性または吸熱性を高める被覆層を設けるのがより好ましい。
また、補強体１１、１２は、熱交換器Ｈを冷房装置として使用した場合において、流路部材１の外周面に結露する水滴をドレンパンなどに案内する案内部材として利用することもできる。更に、熱交換器Ｈを架台に取り付けるときのブラケットとして利用したり、配管や設置の際に軸周方向の姿勢を決めるときの目印として利用することもできる。
【００７３】
ところで、温水や冷水の送り始めでは、送る液体と共に空気が流路部材１内に入ってしまうことがある。この空気が流路１５に滞ってしまうと、熱媒体が流路部材１の内周面１４と接することができない部分を形成し、熱媒体と流路部材１との間で熱交換が行われにくくなるので好ましくない。熱交換器Ｈにおいては、上記したように中芯部材２の各角部２０に流通溝２２が設けられ、各流路１５の間で流通が可能になっている。これにより、流路１５の内部に空気が入っても、熱媒体の流通と共に流通溝２２を通して他の流路１５に分散させることにより、熱交換器Ｈの外部へ排出しやすくなっている。
【００７４】
本発明の熱交換器Ｈの機能を検証するために次のような試験を行った。
（試験方法）
この試験では、冷水を流通させる冷却試験（試験１）と、温水を流通させる加温試験（試験２）を行い、流路部材１の外周面の温度変化の推移と、外周面が最低温度（試験１）または最高温度（試験２）に到達するまでにかかる時間を測定した。なお、室温は一定とした。
【００７５】
使用したモデルは次の四種類である。
モデル０は、熱交換器Ｈと比較する対象とするもので、熱交換器Ｈの流路部材１から中芯部材２を取り外したものである。使用した熱交換器Ｈの流路部材１の外径は６０ｍｍ、長さは１ｍである。
モデル１は、熱交換器Ｈであり、流路部材１の被覆層を黒色に着色したアルマイト処理層としたものである。
モデル２は、熱交換器Ｈにおいて流路部材１の被覆層をクールテック（商品名：オキツモ株式会社）に変えたものである。
モデル３は、熱交換器Ｈにおいて流路部材１の被覆層を活性炭を主剤とするハイブリッドサーモコーティング（商品名：有限会社アクア：表１、表２ではＨＢサーモと略して表示した）に変えたものである。このハイブリッドサーモコーティングは、表面積がきわめて大きく、放熱性、吸湿性、放湿性、吸着分解性及び抗菌性及びマイナスイオンの発生にすぐれたものである。
【００７６】
上記各モデルを熱媒体流通路に並列に配し、温度測定器（商品名：データロガ、株式会社テイアンドデイ社製(TR-71U)）の温度センサをモデル１〜３の流路部材１の長手方向の中間点表面と、流出側端部の流路部材１の内部にそれぞれ設けた。モデル０については、設備の都合上、温度センサは流路部材１の長手方向の中間点表面のみに設けた。
【００７７】
各モデルの熱媒体の流入側の圧力は同じであるが、流量はモデル０とモデル１〜３では異なるので、流量を実質的に同じにするために、モデル０については流量の調節を流路部材１外部で行った。
そして、熱媒体として、毎分１Ｌの温水または冷水を各モデルに供給し、温度センサで各部の温度を一定時間ごとに測定した。なお、モデル０については、流路部材１の表面温度のみを一定時間ごとに測定した。さらに各モデル０〜３の温度の推移と共に最低または最高温度と、そこに到達するまでの時間も測定した。
【００７８】
（試験１）
試験１では、熱源機にヒートポンプチラー（商品名：エコヌクールピコ、三菱電機株式会社(VEH-406HCU-K2,VEH-406HPU)）を使用し、熱媒体である冷水を最低温度７℃までに冷却する条件で運転し供給した。したがって、常時７℃の冷水を供給したのではなく、冷水の温度には多少の変動がある。
【００７９】
【表１】
2009130764.tif 000016
【００８０】
（試験２）
試験２では、熱源機に試験１と同様にヒートポンプチラーを使用し、熱媒体である温水を最高温度５２℃までに加温する条件で運転し供給した。したがって、常時５２℃の温水を供給したのではなく、温水の温度には多少の変動がある。
【００８１】
【表２】
2009130764.tif 000017
【００８２】
（考  察）
表１、２から分かるとおり、中芯部材２が設けられていないモデル０と、中芯部材２を設けているモデル１〜３の間には、流路部材１の表面温度の立ち上がり速度において明らかな違いがあった。
まず、表１において、モデル０では、最低温度の１０．２℃になるまでにかかった時間は１２分１１秒であったが、熱交換器Ｈのモデル１では、最低温度の７．９℃になるまでにかかった時間は１０分２４秒であった。また、被覆層が異なるモデル２、３も、それぞれ８．７℃まで１０分３１秒、８．１℃まで１０分１９秒であった。
すなわち、モデル１〜３は、いずれもモデル０に比べて最低温度までの立ち上がり時間が短いことと、最低温度もより低くなることが確認できた。
【００８３】
また、表２において、モデル０では、最高温度の４９．５℃になるまでにかかった時間は１１分３２秒であったが、熱交換器Ｈのモデル１では、最高温度の５１．２℃になるまでにかかった時間は９分４７秒であった。また、被覆層が異なるモデル２、３も、それぞれ５０．５℃まで９分４２秒、５０．７℃まで９分４６秒であった。
すなわち、モデル１〜３は、いずれもモデル０に比べて最高温度までの立ち上がり時間が短いことと、最高温度もより高くなることが確認できた。
【００８４】
上記試験結果から、中芯部材２を流路部材１に設けたモデル１〜３の方が、中芯部材２を流路部材１に設けていないモデル０より熱交換効率が良好であり、省エネルギー効果が高いということがわかった。また、短時間で設定温度まで到達することができるので、熱媒体に熱エネルギーを与える装置から供給される熱エネルギーの熱損失量も少なくできるので、熱輸送効率にもすぐれている。
【００８５】
さらに、表１、表２では、被覆層の違いによる熱交換効率の違いも検証することができる。すなわち、流路部材１の外周面にブラックアルマイトの被覆層を設けたモデル１、同じく放熱性にすぐれた塗料として市販されているクール・テックの被覆層を設けたモデル２、同じくハイブリッドサーモコーティングの被覆層を設けたモデル３の間にも熱交換効率の差が認められる。
【００８６】
表１、表２では、モデル１〜３について、流路部材１表面と流出側の熱媒体の温度を検出している。これらの温度差から熱交換効率を検証する。
まず、冷却試験を行った表１においては、一分ごとに検出された上記温度差の平均値は、モデル１では−０．１５、モデル２では０．０３、モデル３では０．４４である。冷却試験では、この差の数値が大きいほど熱交換効率にすぐれているので、モデル３、モデル２、モデル１の順で熱交換効率にすぐれていることになる。
【００８７】
また、加温試験を行った表２においては、一分ごとに検出された上記温度差の平均値は、モデル１では０．８４、モデル２では０．６３、モデル３では０．１４である。加温試験では、この差の数値が小さいほど熱交換効率にすぐれているので、上記表１の場合と同様にモデル３、モデル２、モデル１の順で熱交換効率にすぐれていることになる。
このように、流路部材１の表面に被覆層として、放熱性によりすぐれた被覆層を設けることにより、熱交換効率が向上することが確認できた。
【００８８】
また、モデル１〜３については、上記試験１、２とは別に、流路部材１に熱媒体として温水を流通させるときの表面から発生するマイナスイオンを計測した。マイナスイオンの発生を検証するために、マイナスイオンカウンター（商品名：アンデス電気株式会社（ITC-201A））を使用し、モデル１〜３の縦方向に配置した各流路部材１の長さ方向中央の位置で表面から２０ｍｍ離れた位置で計測した。この計測は、温度３０℃、湿度５３〜５４％の条件下で行った。
マイナスイオンの発生量は、モデル１（被覆層：ブラックアルマイト）で２８０個／ｃｃ、モデル２（被覆層：クールテック）で２９０個／ｃｃ、モデル３（被覆層：ハイブリッドサーモコーティング）で４１０個／ｃｃであった。なお、この値は、マイナスイオンの計測を０．２５秒ごとに１０分間行ったときの平均値である。
【００８９】
なお、熱交換器Ｈにおいては、中芯部材２として正六角柱形状を有するものを採用したが、例えば、図６に示す中芯部材２ａのように五角柱形状のものや、図７に示す中芯部材２ｂのように四角柱形状のものを採用してもよい。
また、図８に示すように、中芯部材２ｃが四角柱形状で、なおかつ側壁に乱流を発生させる手段である凸部２３を設けたものでもよい。中芯部材２ｃに凸部２３を設けることにより、流路１５の内部を流通する熱媒体の流れが層流状態でなく乱流状態になり、熱媒体と流路部材との間で熱エネルギーがより移動し易くなる。
上記実施の形態では示していないが、補強体１１、１２とは別に流路部材１の外周面や内周面に、周りの空気や熱媒体が流れやすいようにする手段や表面積をより大きくする手段を設けて、外周面や内周面における熱交換が効率よく行われるようにすることもできる。
【００９０】
図９は本発明に係る空気調和装置の第１実施形態を設置した状態を示し、（ａ）は正面図、（ｂ）はＡ−Ａ拡大断面図である。
【００９１】
空気調和装置６は、所要間隔で設けられた支柱部材６０、６０ａを有している。支柱部材６０、６０ａの上下端部には、床部６９と天井部６８に固定するための固定具６１が設けられている。支柱部材６０、６０ａの内部には、床部６９から導入される配管６２が収容されている。配管６２は、各熱交換器Ｈに温水または冷水を供給し循環させることができる。
【００９２】
支柱部材６０と支柱部材６０ａの間には、熱交換器Ｈと蓄熱体６４が縦方向へ所要の間隔をおいて交互に架設されている。熱交換器Ｈと蓄熱体６４は水平方向に向けられ、かつ互いに平行になるように配されている。各熱交換器Ｈは、前記配管６２と接続されており、配管６２を通って温水または冷水が供給されることによって、放熱または吸熱を行うことができる。
【００９３】
なお、使用される各熱交換器Ｈは、断熱性を有する中芯部材２を使用したものでもよいし、蓄熱性を有する中芯部材２を使用したものでもよい。これについては、後述する空気調和装置７、８についても同様である。
【００９４】
蓄熱体６４は配管６２と接続されておらず、蓄熱体６４は隣接する熱交換器Ｈと輻射または対流によって熱交換ができる間隔をもって配されている。符号６３は、熱交換器Ｈと蓄熱体６４の表面に生じる結露水（凝縮水）を受ける樋であり、その一端側には樋６３に溜まった水を排出する排水管６３０が設けられている。なお、蓄熱体６４を使用せず熱交換器Ｈだけを使用して空気調和機６を構成してもよい。
【００９５】
図１０は本発明に係る空気調和装置の第２実施形態を設置した状態を示し、（ａ）は正面図、（ｂ）はＢ−Ｂ拡大断面図である。
【００９６】
空気調和装置７は、所要間隔で設けられた支柱部材７０、７０ａを有している。支柱部材７０、７０ａの上下端部には、床部７９と天井部７８に固定するための固定具７１が設けられている。支柱部材７０、７０ａの間には、下部連結部材７２と上部連結部材７３が設けられている。下部連結部材７２の内部には、側壁部７７から導入される配管７４が収容されている。配管７４は上部連結部材７３の上部にも配され、各熱交換器Ｈに温水または冷水を供給し循環させることができる。
【００９７】
下部連結部材７２と上部連結部材７３の間には、所要数の熱交換器Ｈが横方向へ所要の間隔をおいて配されている。各熱交換器Ｈは鉛直方向に向けられ、かつ互いに平行になるように配されている。各熱交換器Ｈは、前記配管７４と接続されており、配管７４を通って温水または冷水が供給されることによって、放熱または吸熱を行うことができる。
【００９８】
図１１は本発明に係る空気調和装置の第３実施形態を設置した状態を示し、（ａ）は正面図、（ｂ）はＣ−Ｃ拡大断面図である。
【００９９】
空気調和装置８は、床部８９に載置される基台８０を有している。基台８０の上部には円形の下部連結盤８１が設けられ、その上方には支柱部材８５でつながれた円形の上部連結盤８２が設けられている。下部連結盤８１と上部連結盤８２の間には、所要数の熱交換器Ｈが各盤の形状に沿って円形を描くように所要の間隔をおいて配されている。各熱交換器Ｈは鉛直方向に向けられ、かつ互いに平行になるように配されている。
【０１００】
基台８０の内部には、床部８９から導入される配管８３が収容されている。配管８３は上部連結盤８２の上部にも配され、各熱交換器Ｈに温水または冷水を供給し循環させることができる。各熱交換器Ｈは、前記配管８３と接続されており、配管８３を通って温水または冷水が供給されることによって、放熱または吸熱を行うことができる。
【０１０１】
前記空気調和装置６、空気調和装置７及び空気調和装置８は、いずれも熱交換器Ｈに温水または冷水を供給し循環させることによって、設置した室内の冷暖房を含む空気調和を行うことができる。
【０１０２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【産業上の利用可能性】
【０１０３】
（ａ）本発明は、流路部材の内部に中芯部材が設けられているため、熱媒体は流路部材の中心部分を通ることなく、内周面に接している流路を通り、流路部材の壁部と熱交換を行うことができる。つまり、熱媒体を、直接には熱交換を行うことができない流路部材の中心部分には流さず、熱交換を直接的に行うことができる内周面に接する部分に流すことにより、中芯部材を設けない場合と比較して、熱媒体の単位流量当たりの熱交換面積が大きくなるので、効率的な熱交換が可能である。したがって、熱交換部である流路部材表面の温度の立ち上がりが速く、利便性にすぐれている。
【０１０４】
（ｂ）中芯部材は多角柱形状を有しており、中芯部材の各角部が流路部材の内面に当接することによって流路部材内部に周方向へ複数の流路が形成されているものは、中芯部材を流路部材に収容するだけで流路を形成することができる簡単な構造となっており、しかも多角形の角数を変えるだけで流路の数を簡単に調節することができる。
【０１０５】
（ｃ）流路部材の端部に、流通経路から流入する熱媒体を分配して各流路に送る手段または各流路を通った熱媒体を合流させて流通経路へ送る手段が設けられているものは、流路が区画されて複数設けられる場合、各流路の流量を均等化することができ、熱交換部に機能的な偏りが生じることを防止できる。
【０１０６】
（ｄ）中芯部材が断熱性を有するものは、流路を流通する熱媒体と中芯部材との間で熱交換が行われず、熱交換はほとんどが熱媒体と流路部材の間で行われるので、熱交換効率がより向上する。
【０１０７】
（ｅ）中芯部材が蓄熱性を有するものは、熱媒体が流路に流通することにより中芯部材が加熱され、中芯部材に熱媒体の温度に対応した所要の熱量を蓄熱することができる。中芯部材が蓄熱されていることによって、中芯部材に接して流路を流通している熱媒体が冷えにくくなり、流路部材から安定した効率のよい放熱が行われる。また、間欠運転を行う際には、熱媒体の供給が停止したときにも中芯部材に蓄熱されていた熱が供給され放熱に利用されるので、熱交換器からの放熱量が安定し、温度変動の少ない室温の制御を行うことができる。
【０１０８】
（ｆ）流路内を流通する熱媒体を乱流状態にする手段が設けられているものは、熱媒体の内部での温度のムラが生じにくくなり、熱媒体と流路部材との間で熱エネルギーがより移動し易くなる。これにより、熱交換効率がより向上する。
【０１０９】
（ｇ）流路部材の外面に、熱伝導性、放熱性または吸熱性を有する被覆層が設けられているものは、熱交換効率を向上させることができる。すなわち、熱伝導性、放熱性または吸熱性にすぐれたものは、遠赤外線を含む赤外線の放射性（放熱性）にすぐれており、また、遠赤外線を含む赤外線の吸収性（吸熱性）にすぐれている。これにより、被覆層表面での熱交換が盛んに行われ、熱交換効率が向上することになる。
【０１１０】
（ｈ）流路部材の外面に、親水性、吸湿性、放湿性を有する被覆層が設けられているものは、流路部材外部の湿度を好適に調節することができる。すなわち、熱交換器において流路部材外部の空気は流路部材との温度差によって対流が促進され、空気が速やかに入れ替わるので、空気中の湿度を調節する効果によりすぐれている。
【０１１１】
（ｉ）流路部材の外面に、吸着分解性及び抗菌性を有する被覆層が設けられているものは、流路部材外部のＶＯＣや臭気を改善し、空気を清浄化することができる。すなわち、熱交換器において流路部材外部の空気は流路部材との温度差によって対流が促進され、空気が速やかに入れ替わるので、空気中のＶＯＣや臭気を改善して空気を清浄化する効果によりすぐれている。
【０１１２】
（ｊ）流路部材の外面に、マイナスイオンを発生する被覆層が設けられているものは、流路部材外部に環境的な癒しの空間を得るために有用である。すなわち、熱交換器において流路部材外部の空気は流路部材との温度差によって対流が促進され、空気が速やかに入れ替わるので、被覆層で発生したマイナスイオンを空気中に効率よく拡散させることができる機能性にすぐれている。
【国際調査報告】
2009130764.tif 000018
2009130764.tif 000019
2009130764.tif 000020
2009130764.tif 000021
2009130764.tif 000022